(57)【要約】  ニューラジオ（ＮＲ）においてＣＳＩ報告のための新たなチャネル状態情報（ＣＳＩ）基準リソースの定義を提供する方法の実施の形態が開示される。ある実施の形態では、無線通信システムにおけるチャネル品質インジケータ（ＣＱＩ）インデクス報告のための、無線デバイスによって行われる方法は、ネットワークノードに報告されるべきＣＱＩインデクスを導出することであって、ＣＱＩインデクスは、ＣＳＩ基準リソース上での仮想的な伝送を前提として導出され、ＣＳＩ基準リソースにおける無線デバイス特有基準信号オーバヘッドはひとつ以上のパラメータと合致する、導出することと、ＣＱＩインデクスをネットワークノードに報告することと、を含む。他の実施の形態では、無線通信システムにおいて報告する無線アクセスノードによって行われる方法は、ＣＳＩ基準リソースについて無線デバイスからＣＱＩインデクスを受信することであって、ＣＳＩ基準リソースにおける無線デバイス特有基準信号オーバヘッドはひとつ以上のパラメータと合致する、受信することを含む。【選択図】図７
2021503733.tif 000002
【特許請求の範囲】
【請求項１】
無線通信システムにおけるチャネル品質インジケータ、ＣＱＩ、インデクス報告のための、無線デバイスによって行われる方法であって、
ネットワークノードに報告されるべきＣＱＩインデクスを導出すること（７０２）であって、前記ＣＱＩインデクスは、チャネル状態情報、ＣＳＩ、基準リソース上での仮想的な伝送を前提として導出され、前記ＣＳＩ基準リソースにおける無線デバイス特有基準信号オーバヘッドはひとつ以上のパラメータと合致する、導出することと、
前記ＣＱＩインデクスを前記ネットワークノードに報告すること（７０４）と、を含む方法。
【請求項２】
前記ひとつ以上のパラメータは、直近に報告された対応するＣＳＩ報告セッティングのランクを含む請求項１に記載の方法。
【請求項３】
前記ひとつ以上のパラメータは、追加的な復調基準信号、ＤＭＲＳ、シンボルの数を含む請求項１に記載の方法。
【請求項４】
前記ひとつ以上のパラメータは、ＤＭＲＳパターンを含む請求項１に記載の方法。
【請求項５】
前記ひとつ以上のパラメータは、フロントロードＤＭＲＳシンボルの数を含む請求項１に記載の方法。
【請求項６】
前記ひとつ以上のパラメータは、前記無線デバイス用に設定された予約リソースを含む請求項１に記載の方法。
【請求項７】
前記ひとつ以上のパラメータは、前記ＣＳＩ基準リソースにおける直交周波数分割多重、ＯＦＤＭ、シンボルの数を含む請求項１に記載の方法。
【請求項８】
前記ＣＳＩ基準リソースにおけるＯＦＤＭシンボルの前記数は、前記ＣＳＩ基準リソースに関する対応する正当なダウンリンクサブフレームにおいて用いられるＯＦＤＭシンボルの数である請求項７に記載の方法。
【請求項９】
前記ひとつ以上のパラメータは、準静的に設定されたスロットフォーマットを含む請求項１に記載の方法。
【請求項１０】
前記ＣＳＩ基準リソース内の前記ＣＱＩインデクスは、位相追跡基準信号、ＰＴＲＳ、密度および／またはパターンに関連付けられる請求項１から９のいずれか一項に記載の方法。
【請求項１１】
前記ＣＱＩインデクスは、設定を介して、前記ＰＴＲＳ密度および／またはパターンに関連付けられる請求項１０に記載の方法。
【請求項１２】
前記ＣＱＩインデクスは、所与の関連付けを介して、前記ＰＴＲＳ密度および／またはパターンに関連付けられる請求項１０に記載の方法。
【請求項１３】
前記ＣＱＩインデクスは、所与の規則を介して、前記ＰＴＲＳ密度および／またはパターンに関連付けられる請求項１０に記載の方法。
【請求項１４】
報告されるべき前記ＣＱＩインデクスを導出すること（７０２）は、報告されるべき前記ＣＱＩインデクスを、
前記ＣＳＩ基準リソースにおける前記無線デバイス特有基準信号オーバヘッド、
前記ＣＳＩ基準リソースにおけるＰＴＲＳオーバヘッドであって、前記ＣＳＩ基準リソースにおける前記ＰＴＲＳオーバヘッドはＣＱＩインデクスが異なると、そのような異なるＣＱＩインデクスに関連付けられたＰＴＲＳ密度および／またはパターンにしたがって変化する、ＰＴＲＳオーバヘッド、
に基づいて導出すること（７０２）を含む請求項１から１３のいずれか一項に記載の方法。
【請求項１５】
前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる請求項１から１４のいずれか一項に記載の方法。
【請求項１６】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
ネットワークノードに報告されるべきＣＱＩインデクスを導出すること（７０２）であって、前記ＣＱＩインデクスは、チャネル状態情報、ＣＳＩ、基準リソース上での仮想的な伝送を前提として導出され、前記ＣＳＩ基準リソースにおける無線デバイス特有基準信号オーバヘッドはひとつ以上のパラメータと合致する、導出することと、
前記ＣＱＩインデクスを前記ネットワークノードに報告すること（７０４）と、を行わせるよう構成される無線デバイス。
【請求項１７】
前記ひとつ以上のプロセッサ（１２０２）はさらに、前記無線デバイスに、請求項２から１５のいずれか一項に記載の方法を行わせるよう構成される請求項１６に記載の無線デバイス。
【請求項１８】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
ネットワークノードに報告されるべきＣＱＩインデクスを導出すること（７０２）であって、前記ＣＱＩインデクスは、チャネル状態情報、ＣＳＩ、基準リソース上での仮想的な伝送を前提として導出され、前記ＣＳＩ基準リソースにおける無線デバイス特有基準信号オーバヘッドはひとつ以上のパラメータと合致する、導出することと、
前記ＣＱＩインデクスを前記ネットワークノードに報告すること（７０４）と、を行わせるよう構成される無線デバイス。
【請求項１９】
前記ひとつ以上のプロセッサ（１２０２）はさらに、請求項２から１５のいずれか一項に記載の方法を行うよう構成される請求項１８に記載の無線デバイス。
【請求項２０】
無線通信システムにおけるチャネル品質インジケータ、ＣＱＩ、インデクス報告のための、無線デバイスによって行われる方法であって、
ネットワークノードに報告されるべきＣＱＩインデクスを導出すること（６０２）であって、前記ＣＱＩインデクスは、チャネル状態情報、ＣＳＩ、基準リソース上での仮想的な伝送を前提として導出され、前記ＣＱＩインデクスは前記ＣＳＩ基準リソース内の位相追跡基準信号、ＰＴＲＳ、密度および／またはパターンに関連付けられる、導出することと、
前記ＣＱＩインデクスを前記ネットワークノードに報告すること（６０４）と、を含む方法。
【請求項２１】
前記ＣＱＩインデクスは、設定を介して、前記ＰＴＲＳ密度および／またはパターンに関連付けられる請求項２０に記載の方法。
【請求項２２】
前記ＣＱＩインデクスは、所与の関連付けを介して、前記ＰＴＲＳ密度および／またはパターンに関連付けられる請求項２０に記載の方法。
【請求項２３】
前記ＣＱＩインデクスは、所与の規則を介して、前記ＰＴＲＳ密度および／またはパターンに関連付けられる請求項２０に記載の方法。
【請求項２４】
報告されるべき前記ＣＱＩインデクスを導出すること（６０２）は、報告されるべき前記ＣＱＩインデクスを、前記ＣＱＩインデクスに関連付けられた前記ＰＴＲＳ密度および／またはパターンに基づいて導出すること（６０２）を含む請求項２０から２３のいずれか一項に記載の方法。
【請求項２５】
報告されるべき前記ＣＱＩインデクスを導出すること（６０２）は、報告されるべき前記ＣＱＩインデクスを、複数のＣＱＩインデクスに関連付けられた複数のＰＴＲＳ密度および／またはパターンに基づいて導出すること（６０２）を含む請求項２０から２３のいずれか一項に記載の方法。
【請求項２６】
前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる請求項２０から２３のいずれか一項に記載の方法。
【請求項２７】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
ネットワークノードに報告されるべきＣＱＩインデクスを導出すること（６０２）であって、前記ＣＱＩインデクスは、チャネル状態情報、ＣＳＩ、基準リソース上での仮想的な伝送を前提として導出され、前記ＣＱＩインデクスは前記ＣＳＩ基準リソース内の位相追跡基準信号、ＰＴＲＳ、密度および／またはパターンに関連付けられる、導出することと、
前記ＣＱＩインデクスを前記ネットワークノードに報告すること（６０４）と、を行わせるよう構成される無線デバイス。
【請求項２８】
前記ひとつ以上のプロセッサ（１２０２）はさらに、前記無線デバイスに、請求項２１から２６のいずれか一項に記載の方法を行わせるよう構成される請求項２７に記載の無線デバイス。
【請求項２９】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
ネットワークノードに報告されるべきＣＱＩインデクスを導出すること（６０２）であって、前記ＣＱＩインデクスは、チャネル状態情報、ＣＳＩ、基準リソース上での仮想的な伝送を前提として導出され、前記ＣＱＩインデクスは前記ＣＳＩ基準リソース内の位相追跡基準信号、ＰＴＲＳ、密度および／またはパターンに関連付けられる、導出することと、
前記ＣＱＩインデクスを前記ネットワークノードに報告すること（６０４）と、を行わせるよう構成される無線デバイス。
【請求項３０】
前記ひとつ以上のプロセッサ（１２０２）はさらに、請求項２１から２６のいずれか一項に記載の方法を行うよう構成される請求項２９に記載の無線デバイス。
【請求項３１】
無線デバイスによって行われる方法であって、該方法は、無線通信システムにおいて前記無線デバイスによって報告されるべきチャネル品質インジケータ、ＣＱＩ、インデクスを導出するためのものであり、前記方法は、
変調および符号化スキーム、ＭＣＳ、インデクスを選択すること（８００）と、
前記ＭＣＳインデクスにしたがって位相追跡基準信号、ＰＴＲＳ、パターンおよび／または密度を取得すること（８０２）と、
前記ＭＣＳインデクスおよび前記ＰＴＲＳ密度および／またはパターンが与えられたときの物理ダウンリンクチャネル性能を決定すること（８０４）と、
前記物理ダウンリンクチャネル性能が予め定義されたまたは予め設定された性能しきい値を充たすか否かを判定すること（８０６）と、
決定された前記物理ダウンリンクチャネル性能が前記予め定義されたまたは予め設定された性能しきい値を充たす場合、
前記ＭＣＳインデクスを、さらなるＣＱＩインデクス導出のためのＭＣＳインデクスとして選択すること（８１０）と、
前記無線デバイスによって報告されるべきＣＱＩインデクスを、さらなるＣＱＩインデクス導出のために選択された前記ＭＣＳインデクスに基づいて、導出すること（８１２）と、を含む方法。
【請求項３２】
決定された前記物理ダウンリンクチャネル性能が前記予め定義されたまたは予め設定された性能しきい値を充たさない場合、
第２ＭＣＳインデクスを選択し（８０８）、
前記第２ＭＣＳインデクスにしたがって第２ＰＴＲＳパターンおよび／または密度を取得し（８０２）、
前記第２ＭＣＳインデクスおよび前記第２ＰＴＲＳ密度および／またはパターンが与えられたときの第２物理ダウンリンクチャネル性能を決定し（８０４）、
前記第２物理ダウンリンクチャネル性能が前記予め定義されたまたは予め設定された性能しきい値を充たすか否かを判定すること（８０６）と、
前記第２物理ダウンリンクチャネル性能が前記予め定義されたまたは予め設定された性能しきい値を充たす場合、
前記第２ＭＣＳインデクスを、さらなるＣＱＩインデクス導出のための前記ＭＣＳインデクスとして選択し（８１０）、
前記無線デバイスによって報告されるべき前記ＣＱＩインデクスを、さらなるＣＱＩインデクス導出のために選択された前記ＭＣＳインデクスに基づいて、導出すること（８１２）と、をさらに含む請求項３１に記載の方法。
【請求項３３】
ユーザデータを提供することと、
前記無線アクセスノードへの送信を介して、ホストコンピュータに、前記ユーザデータを転送することと、をさらに含む請求項１から１５のいずれか一項、または、請求項２０から２６のいずれか一項、または、請求項３１もしくは３２に記載の方法。
【請求項３４】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
変調および符号化スキーム、ＭＣＳ、インデクスを選択すること（８００）と、
前記ＭＣＳインデクスにしたがって位相追跡基準信号、ＰＴＲＳ、パターンおよび／または密度を取得すること（８０２）と、
前記ＭＣＳインデクスおよび前記ＰＴＲＳ密度および／またはパターンが与えられたときの物理ダウンリンクチャネル性能を決定すること（８０４）と、
前記物理ダウンリンクチャネル性能が予め定義されたまたは予め設定された性能しきい値を充たすか否かを判定すること（８０６）と、
決定された前記物理ダウンリンクチャネル性能が前記予め定義されたまたは予め設定された性能しきい値を充たす場合、
前記ＭＣＳインデクスを、さらなるＣＱＩインデクス導出のためのＭＣＳインデクスとして選択すること（８１０）と、
前記無線デバイスによって報告されるべきＣＱＩインデクスを、さらなるＣＱＩインデクス導出のために選択された前記ＭＣＳインデクスに基づいて、導出すること（８１２）と、を行わせるよう構成される無線デバイス。
【請求項３５】
前記ひとつ以上のプロセッサ（１２０２）はさらに、前記無線デバイスに、請求項３２から３３のいずれか一項に記載の方法を行わせるよう構成される請求項３４に記載の無線デバイス。
【請求項３６】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
変調および符号化スキーム、ＭＣＳ、インデクスを選択すること（８００）と、
前記ＭＣＳインデクスにしたがって位相追跡基準信号、ＰＴＲＳ、パターンおよび／または密度を取得すること（８０２）と、
前記ＭＣＳインデクスおよび前記ＰＴＲＳ密度および／またはパターンが与えられたときの物理ダウンリンクチャネル性能を決定すること（８０４）と、
前記物理ダウンリンクチャネル性能が予め定義されたまたは予め設定された性能しきい値を充たすか否かを判定すること（８０６）と、
決定された前記物理ダウンリンクチャネル性能が前記予め定義されたまたは予め設定された性能しきい値を充たす場合、
前記ＭＣＳインデクスを、さらなるＣＱＩインデクス導出のためのＭＣＳインデクスとして選択すること（８１０）と、
前記無線デバイスによって報告されるべきＣＱＩインデクスを、さらなるＣＱＩインデクス導出のために選択された前記ＭＣＳインデクスに基づいて、導出すること（８１２）と、を行わせるよう構成される無線デバイス。
【請求項３７】
前記ひとつ以上のプロセッサ（１２０２）はさらに、前記無線デバイスに、請求項３２から３３のいずれか一項に記載の方法を行わせるよう構成される請求項３４に記載の無線デバイス。
【請求項３８】
無線通信システムにおけるチャネル品質インジケータ、ＣＱＩ、インデクス報告のための、無線アクセスノードによって行われる方法であって、方法は、
チャネル状態情報、ＣＳＩ、基準リソースについて無線デバイスから報告されたＣＱＩインデクスを受信すること（７０４）であって、前記ＣＳＩ基準リソースにおける無線デバイス特有基準信号オーバヘッドはひとつ以上のパラメータと合致する、受信することを含む方法。
【請求項３９】
前記ひとつ以上のパラメータは、直近に報告された対応するＣＳＩ報告セッティングのランクを含む請求項３８に記載の方法。
【請求項４０】
前記ひとつ以上のパラメータは、追加的な復調基準信号、ＤＭＲＳ、シンボルの数を含む請求項３８に記載の方法。
【請求項４１】
前記ひとつ以上のパラメータは、ＤＭＲＳパターンを含む請求項３８に記載の方法。
【請求項４２】
前記ひとつ以上のパラメータは、フロントロードＤＭＲＳシンボルの数を含む請求項３８に記載の方法。
【請求項４３】
前記ひとつ以上のパラメータは、前記無線デバイス用に設定された予約リソースを含む請求項３８に記載の方法。
【請求項４４】
前記ひとつ以上のパラメータは、前記ＣＳＩ基準リソースにおける直交周波数分割多重、ＯＦＤＭ、シンボルの数を含む請求項３８に記載の方法。
【請求項４５】
前記ＣＳＩ基準リソースにおけるＯＦＤＭシンボルの前記数は、前記ＣＳＩ基準リソースに関する対応する正当なダウンリンクサブフレームにおいて用いられるＯＦＤＭシンボルの数である請求項４４に記載の方法。
【請求項４６】
前記ひとつ以上のパラメータは、準静的に設定されたスロットフォーマットを含む請求項３８に記載の方法。
【請求項４７】
前記ＣＳＩ基準リソース内の報告された前記ＣＱＩインデクスは、位相追跡基準信号、ＰＴＲＳ、密度および／またはパターンに関連付けられる請求項３８から４６のいずれか一項に記載の方法。
【請求項４８】
報告された前記ＣＱＩインデクスは、設定を介して、前記ＰＴＲＳ密度および／またはパターンに関連付けられる請求項４７に記載の方法。
【請求項４９】
報告された前記ＣＱＩインデクスは、所与の関連付けを介して、前記ＰＴＲＳ密度および／またはパターンに関連付けられる請求項４７に記載の方法。
【請求項５０】
報告された前記ＣＱＩインデクスは、所与の規則を介して、前記ＰＴＲＳ密度および／またはパターンに関連付けられる請求項４７に記載の方法。
【請求項５１】
報告された前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる請求項３８から５０のいずれか一項に記載の方法。
【請求項５２】
ユーザデータを取得することと、
前記ユーザデータをホストコンピュータまたは前記無線デバイスに転送することと、をさらに含む請求項３８から５１のいずれか一項に記載の方法。
【請求項５３】
無線通信システムにおけるチャネル品質インジケータ、ＣＱＩ、インデクス報告のための無線アクセスノードであって、
ひとつ以上の送信器（９１２）およびひとつ以上の受信器（９１４）と、
前記ひとつ以上の送信器（９１２）および前記ひとつ以上の受信器（９１４）と関連付けられたひとつ以上のプロセッサ（９０４）と、を備え、
前記ひとつ以上のプロセッサ（９０４）は、前記無線デバイスに、
チャネル状態情報、ＣＳＩ、基準リソースについて無線デバイスから報告されたＣＱＩインデクスを受信すること（７０４）であって、前記ＣＳＩ基準リソースにおける無線デバイス特有基準信号オーバヘッドはひとつ以上のパラメータと合致する、受信することを行わせるよう構成される無線アクセスノード。
【請求項５４】
前記ひとつ以上のプロセッサ（９０４）はさらに、前記無線アクセスノードに、請求項３７から４９のいずれか一項に記載の方法を行わせるよう構成される請求項５３に記載の無線アクセスノード。
【請求項５５】
無線通信システムにおけるチャネル品質インジケータ、ＣＱＩ、インデクス報告のための無線アクセスノードであって、
ひとつ以上の送信器（９１２）およびひとつ以上の受信器（９１４）と、
前記ひとつ以上の送信器（９１２）および前記ひとつ以上の受信器（９１４）と関連付けられたひとつ以上のプロセッサ（９０４）と、を備え、
前記ひとつ以上のプロセッサ（９０４）は、前記無線デバイスに、
チャネル状態情報、ＣＳＩ、基準リソースについて無線デバイスから報告されたＣＱＩインデクスを受信すること（７０４）であって、前記ＣＳＩ基準リソースにおける無線デバイス特有基準信号オーバヘッドはひとつ以上のパラメータと合致する、受信することを行わせるよう構成される無線アクセスノード。
【請求項５６】
前記ひとつ以上のプロセッサ（９０４）はさらに、請求項３７から４９のいずれか一項に記載の方法を行うよう構成される請求項５５に記載の無線アクセス。
【請求項５７】
無線通信システムにおけるチャネル品質インジケータ、ＣＱＩ、インデクス報告のための、無線アクセスノードによって行われる方法であって、方法は、
チャネル状態情報、ＣＳＩ、基準リソースについて無線デバイスから報告されたＣＱＩインデクスを受信すること（６０４）であって、報告された前記ＣＱＩインデクスは前記ＣＳＩ基準リソース内の位相追跡基準信号、ＰＴＲＳ、密度および／またはパターンに関連付けられる、受信することを含む方法。
【請求項５８】
報告された前記ＣＱＩインデクスは、設定を介して、前記ＰＴＲＳ密度および／またはパターンに関連付けられる請求項５７に記載の方法。
【請求項５９】
報告された前記ＣＱＩインデクスは、所与の関連付けを介して、前記ＰＴＲＳ密度および／またはパターンに関連付けられる請求項５７に記載の方法。
【請求項６０】
報告された前記ＣＱＩインデクスは、所与の規則を介して、前記ＰＴＲＳ密度および／またはパターンに関連付けられる請求項５７に記載の方法。
【請求項６１】
報告された前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる請求項５７から６０のいずれか一項に記載の方法。
【請求項６２】
無線通信システムにおけるチャネル品質インジケータ、ＣＱＩ、インデクス報告のための無線アクセスノードであって、
ひとつ以上の送信器（９１２）およびひとつ以上の受信器（９１４）と、
前記ひとつ以上の送信器（９１２）および前記ひとつ以上の受信器（９１４）と関連付けられたひとつ以上のプロセッサ（９０４）と、を備え、
前記ひとつ以上のプロセッサ（９０４）は、前記無線デバイスに、
チャネル状態情報、ＣＳＩ、基準リソースについて無線デバイスから報告されたＣＱＩインデクスを受信すること（６０４）であって、報告された前記ＣＱＩインデクスは前記ＣＳＩ基準リソース内の位相追跡基準信号、ＰＴＲＳ、密度および／またはパターンに関連付けられる、受信することを行わせるよう構成される無線アクセスノード。
【請求項６３】
前記ひとつ以上のプロセッサ（９０４）はさらに、前記無線アクセスノードに、請求項５５から５８のいずれか一項に記載の方法を行わせるよう構成される請求項６２に記載の無線アクセスノード。
【請求項６４】
無線通信システムにおけるチャネル品質インジケータ、ＣＱＩ、インデクス報告のための無線アクセスノードであって、
ひとつ以上の送信器（９１２）およびひとつ以上の受信器（９１４）と、
前記ひとつ以上の送信器（９１２）および前記ひとつ以上の受信器（９１４）と関連付けられたひとつ以上のプロセッサ（９０４）と、を備え、
前記ひとつ以上のプロセッサ（９０４）は、前記無線デバイスに、
チャネル状態情報、ＣＳＩ、基準リソースについて無線デバイスから報告されたＣＱＩインデクスを受信すること（７０４）であって、前記ＣＳＩ基準リソースにおける無線デバイス特有基準信号オーバヘッドはひとつ以上のパラメータと合致する、受信することを行わせるよう構成される無線アクセスノード。
【請求項６５】
前記ひとつ以上のプロセッサ（９０４）はさらに、請求項５５から５８のいずれか一項に記載の方法を行うよう構成される請求項６４に記載の無線アクセス。
【発明の詳細な説明】
【技術分野】
【０００１】
関連出願
本願は、２０１７年１１月１１日に出願された仮特許出願第６２／５８７，５０９号の優先権の利益を享受する。この出願の開示は、参照によりその全体が本明細書に組み入れられる。
【０００２】
技術分野
本開示は、セルラ通信ネットワークにおけるチャネル品質インデクス、ＣＱＩ、報告に関する。
【背景技術】
【０００３】
第３世代パートナーシッププロジェクト（３ＧＰＰ）技術仕様（ＴＳ）３６．２１３では、チャネル品質インデクス（ＣＱＩ）の定義が与えられている。ユーザ機器デバイス（ＵＥ）については、ユーザ機器デバイス（ＵＥ）は、時間における観測間隔および周波数における観測間隔に基づいて、アップリンクサブフレームにおいて報告される各ＣＱＩ値について、以下の条件を満たす最高のＣＱＩインデクス、またはＣＱＩインデクス１が条件を満たさない場合にはＣＱＩインデクス０を導出する：
●ＣＱＩインデクスに対応し、チャネル状態情報（ＣＳＩ）基準リソースと呼ばれるダウンリンク物理リソースブロックのグループを占有する、変調スキームとトランスポートブロックサイズとの組合せを有する単一の物理ダウンリンク共有チャネル（ＰＤＳＣＨ）トランスポートブロックは、所与の閾値を超えないトランスポートブロック誤り確率で受信され得る。
サービングセルのためのＣＳＩ基準リソースは、以下のように定義される：
●周波数領域において、ＣＳＩ基準リソースは、導出されたＣＱＩ値が関連する先の帯域に対応するダウンリンク物理リソースブロックのグループによって定義される。
●時間領域において、ＣＳＩ基準リソースは、導出されたＣＱＩ値が関連する先の単一のダウンリンクまたは特別なサブフレームによって定義される。
●レイヤ領域において、ＣＳＩ基準リソースは、ＣＱＩが調整される任意のランクインジケータ（ＲＩ）およびプリコーディング行列インジケータ（ＰＭＩ）によって定義される。
【０００４】
ＣＳＩ基準リソースでは、ＣＱＩインデクスを導出するために、ＵＥは、制御チャネル構成、ＰＤＳＣＨ受信のためのヌメロロジ（例えば、サイクリックプレフィックス（ＣＰ）長およびサブキャリア間隔）、プライマリまたはセカンダリ同期信号または物理報知チャネル（ＰＢＣＨ）によって使用されるリソース要素、冗長バージョン、ＣＳＩ基準信号（ＣＳＩ−ＲＳ）ＥＰＲＥに対するＰＤＳＣＨリソース要素当たりエネルギ（ＥＰＲＥ）の比率、ＣＳＩ−ＲＳおよびゼロ電力ＣＳＩ−ＲＳのために使用されるリソース要素（ＲＥ）、ならびにＰＤＳＣＨ送信フォーマットなどについて何らかの仮定をする。例えば、ニューラジオ（ＮＲ）の仕様Ｒ１−１７１９２２７では、ＵＥは、ＣＱＩインデクスを導出するために、以下のことを仮定する：
●最初の［３］つの直交周波数分割多重（ＯＦＤＭ）シンボルは制御シグナリングによって占有される
●基準リソースは、ＰＤＳＣＨ受信のために設定されたＣＰ長およびサブキャリア間隔を使用する
●プライマリ同期信号またはセカンダリ同期信号またはＰＢＣＨによって使用されるリソース要素はない
●冗長バージョン０
●ＰＤＳＣＨ  ＥＰＲＥとＣＳＩ−ＲＳ  ＥＰＲＥとの比は、サブクローズ４．１に示すとおりである
●ＣＳＩ−ＲＳおよびゼロ電力ＣＳＩ−ＲＳに割り当てられたＲＥがないと仮定する
●ＰＤＳＣＨ上のＮＲ基地局（ｇＮＢと呼ばれる）送信が３ＧＰＰ  ＴＳ  ３８．２１１のサブクローズ７．３．１．４で定義されるように、アンテナポート［１０００〜１０１１］上の８つまでの送信レイヤで実行されるとＵＥが仮定することができるＰＤＳＣＨ送信スキーム。
【０００５】
３ＧＰＰ  ＴＳ  ３６．２１３または３ＧＰＰ  ＴＳ  ３８．２１４では、ＣＱＩテーブルの一例が表１として定義される。このＣＱＩテーブルでは、ＣＱＩインデクスは、単一のＰＤＳＣＨトランスポートブロックに対応する変調スキームとトランスポートブロックサイズとの組合せを示す。
【表１】
2021503733.tif 000003
【０００６】
ＵＥは、高位パラメータＤＬ−ＤＭＲＳ−ｃｏｎｆｉｇ−ｔｙｐｅで与えられるように、タイプ１またはタイプ２にしたがって、ＰＤＳＣＨ  ＤＭＲＳが物理リソースにマッピングされると仮定しなければならない。
【０００７】
ＵＥは、シーケンスｒ（ｍ）が以下にしたがって物理リソース要素にマッピングされることを仮定しなければならない。
2021503733.tif 000004
ここで、ｗｆ（ｋ’）、ｗｔ（ｌ’）、およびΔはテーブル７．４．１．１．２−１およびテーブル７．４．１．１．２−２によって与えられる。
【０００８】
簡単には、ｋ’＝０でＤＭＲＳによって占められるＲＥ集合について、「ｃｏｍｂ０」と命名され、ｋ’＝１でＤＭＲＳによって占められるＲＥ集合について、「ｃｏｍｂ１」と命名される。
【０００９】
ｌの基準ポイントおよび第１ＤＭＲＳシンボルの位置ｌ０はマッピングタイプに依存する：
−ＰＤＳＣＨマッピングタイプＡについて：
−ｌはスロットの開始に対して定義される
−高位パラメータＤＬ−ＤＭＲＳ−ｔｙｐｅＡ−ｐｏｓが３に等しい場合、ｌ０＝３であり、そうでなければ、ｌ０＝２
−ＰＤＳＣＨマッピングタイプＢについて：
−ｌはスケジューリングされたＰＤＳＣＨリソースの開始に対して定義される。
−ｌ０＝０
【００１０】
追加的なＤＭＲＳシンボルの位置は、テーブル７．４．１．１．２−３およびテーブル７．４．１．１．２−４にしたがって、
2021503733.tif 000005
と、スロットにおいてＰＤＳＣＨに用いられた最後のＯＦＤＭシンボルと、によって与えられる。
【００１１】
時間領域インデクスｌ’およびサポートされるアンテナポートｐは、テーブル７．４．１．１．２−５にしたがってＤＬ−ＤＭＲＳ−ｌｅｎに依存する。
【００１２】
2021503733.tif 000006
テーブル７．４．１．１．２−１：  単一シンボルＤＭＲＳについての、ＰＤＳＣＨのＤＭＲＳ設定タイプ１のパラメータ
2021503733.tif 000007
テーブル７．４．１．１．２−２：  単一シンボルＤＭＲＳについての、ＰＤＳＣＨのＤＭＲＳ設定タイプ２のパラメータ
2021503733.tif 000008
2021503733.tif 000009
2021503733.tif 000010
【００１３】
ＤＬ−ＤＭＲＳ−ｌｅｎ＝１、ＤＬ−ＤＭＲＳ−ａｄｄ−ｐｏｓ＝１、ＤＬ−ＤＭＲＳ−ｃｏｎｆｉｇ−ｔｙｐｅ＝１の一例として、ＤＭＲＳパターンを図１のように示すことができる。
【００１４】
別の例として、ＤＬ−ＤＭＲＳ−ｌｅｎ＝１、ＤＬ−ＤＭＲＳ−ａｄｄ−ｐｏｓ＝２、およびＤＬ−ＤＭＲＳ−ｃｏｎｆｉｇ−ｔｙｐｅ＝１とすると、ＤＭＲＳパターンは図２のように示すことができる。
【００１５】
３ＧＰＰ  ＴＳ  ３８．２１１では、ＰＴＲＳ定義が与えられている。ＵＥは、より上位のレイヤのパラメータＤＬ−ＰＴＲＳ−ｐｒｅｓｅｎｔが、位相追跡基準信号が使用されていることを示す場合にのみ、位相追跡基準信号がＰＤＳＣＨのために使用されるリソースブロックにのみ存在すると仮定する。
【００１６】
存在する場合、ＵＥは、ＰＤＳＣＨ  ＰＴＲＳが、ＫＰＴＲＳ個のスケジューリングされたリソースブロックごとに、
2021503733.tif 000011
にしたがって物理リソースにマッピングされると仮定しなければならない。ここで、以下の条件が充たされる場合、スケジューリングされた最も低い番号のリソースブロックで開始される
−ｌは、ＰＤＳＣＨ伝送に対して割り当てられたＯＦＤＭシンボル内である。
−リソース要素（ｋ、ｌ）はＤＭＲＳには用いられない。
そして、ここで、
−インデクスｋは、物理リソースブロック内のサブキャリア番号を指す
−ｌＤＭ−ＲＳは、ひとつのシンボルＤＭＲＳの場合にはｌ０に等しく、二つのシンボルＤＭＲＳの場合にはｌ０＋１に等しく、ｌ０はクローズ７．４．１．１．２で定義される
−ＫＰＴＲＳ∈｛２、４｝は［６，ＴＳ３８．２１４］で与えられる
−ＬＰＴ−ＲＳ∈｛１、２、４｝は［６，ＴＳ３８．２１４］で与えられる
【００１７】
一例として、ＫＰＴＲＳ＝２およびＬＰＴＲＳ＝１のとき、ＰＴＲＳパターンは図３に示されるように図示される。
【００１８】
３ＧＰＰ  ＴＳ  ３８．２１４では、ＰＴＲＳ利用の手順が与えられている。
【００１９】
ＵＥがより高位のパラメータＤＬ−ＰＴＲＳ−ｐｒｅｓｅｎｔで設定され、追加のより高位のレイヤのパラメータＤＬ−ＰＴＲＳ−ｔｉｍｅ−ｄｅｎｓｉｔｙおよびＤＬ−ＰＴＲＳ−ｆｒｅｑｕｅｎｃｙ−ｄｅｎｓｉｔｙが設定される場合、ＵＥは、表２および表３に示されるように、ＰＴＲＳアンテナポートの存在およびパターンが、対応するスケジュールされたＭＣＳおよびスケジュールされた帯域幅の関数であると仮定することができ、そうでなければ、ＵＥは、ＰＴＲＳがすべてのＯＦＤＭシンボルおよびすべての第２物理リソースブロック（ＰＲＢ）に存在すると仮定することができる。
【表２】
2021503733.tif 000012
【表３】
2021503733.tif 000013
【発明の概要】
【００２０】
例えばニューラジオ（ＮＲ）などのセルラ通信ネットワークにおいてＣＳＩ報告のための新たなチャネル状態情報（ＣＳＩ）基準リソースの定義を提供するシステムおよび方法が本明細書に開示される。無線通信システムにおけるチャネル品質インジケータ（ＣＱＩ）インデクス報告のための、無線デバイスによって行われる方法の実施の形態が開示される。ある実施の形態では、方法は、ネットワークノードに報告されるべきＣＱＩインデクスを導出することであって、前記ＣＱＩインデクスは、ＣＳＩ基準リソース上での仮想的な伝送を前提として導出され、前記ＣＳＩ基準リソースにおける無線デバイス特有基準信号オーバヘッドはひとつ以上のパラメータと合致する、導出することを含む。方法はさらに、ＣＱＩインデクスをネットワークノードに報告することを含む。
【００２１】
ある実施の形態では、前記ひとつ以上のパラメータは、直近に報告された対応するＣＳＩ報告セッティングのランク、追加的な復調基準信号（ＤＭＲＳ）シンボルの数、および／またはＤＭＲＳパターンを含む。ある実施の形態は、前記ひとつ以上のパラメータが、フロントロードＤＭＲＳシンボルの数、前記無線デバイス用に設定された予約リソース、および／または、前記ＣＳＩ基準リソースにおける直交周波数分割多重（ＯＦＤＭ）シンボルの数を含むことを提供してもよい。ある実施の形態によると、前記ＣＳＩ基準リソースにおけるＯＦＤＭシンボルの前記数は、前記ＣＳＩ基準リソースに関する対応する正当なダウンリンクサブフレームにおいて用いられるＯＦＤＭシンボルの数である。ある実施の形態では、前記ひとつ以上のパラメータは、準静的に設定されたスロットフォーマットを含む。
【００２２】
ある実施の形態では、前記ＣＱＩインデクスは、前記ＣＳＩ基準リソース内の位相追跡基準信号、ＰＴＲＳ、密度および／またはパターンに関連付けられる。ある実施の形態によると、前記ＣＱＩインデクスは、設定を介して、および／または、所与の関連付けを介して、および／または、所与の規則を介して、前記ＰＴＲＳ密度および／またはパターンに関連付けられる。
【００２３】
ある実施の形態では、報告されるべき前記ＣＱＩインデクスを導出することは、前記ＣＳＩ基準リソースにおける前記無線デバイス特有基準信号オーバヘッド、および前記ＣＳＩ基準リソースにおけるＰＴＲＳオーバヘッド、に基づいて報告されるべき前記ＣＱＩインデクスを導出することを含み、前記ＣＳＩ基準リソースにおける前記ＰＴＲＳオーバヘッドはＣＱＩインデクスが異なると、そのような異なるＣＱＩインデクスに関連付けられたＰＴＲＳ密度および／またはパターンにしたがって変化する。
【００２４】
ある実施の形態では、前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる。
【００２５】
無線通信システムにおけるＣＱＩインデクス報告のための無線デバイスの実施の形態が開示される。ある実施の形態では、無線デバイスはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ネットワークノードに報告されるべきＣＱＩインデクスを導出することであって、前記ＣＱＩインデクスは、ＣＳＩ基準リソース上での仮想的な伝送を前提として導出され、前記ＣＳＩ基準リソースにおける無線デバイス特有基準信号オーバヘッドはひとつ以上のパラメータと合致する、導出することを行わせるよう構成される。ひとつ以上のプロセッサはさらに、無線デバイスに、ＣＱＩインデクスをネットワークノードに報告させるよう構成される。
【００２６】
無線通信システムにおけるＣＱＩインデクス報告のための無線デバイスの実施の形態が開示される。ある実施の形態では、無線デバイスはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ネットワークノードに報告されるべきＣＱＩインデクスを導出することであって、前記ＣＱＩインデクスは、ＣＳＩ基準リソース上での仮想的な伝送を前提として導出され、前記ＣＳＩ基準リソースにおける無線デバイス特有基準信号オーバヘッドはひとつ以上のパラメータと合致する、導出することを行わせるよう構成される。ひとつ以上のプロセッサはさらに、無線デバイスに、ＣＱＩインデクスをネットワークノードに報告させるよう構成される。
【００２７】
無線通信システムにおけるＣＱＩインデクス報告のための、無線デバイスによって行われる方法の実施の形態が開示される。ある実施の形態では、方法は、ネットワークノードに報告されるべきＣＱＩインデクスを導出することであって、前記ＣＱＩインデクスは、ＣＳＩ基準リソース上での仮想的な伝送を前提として導出され、前記ＣＱＩインデクスは前記ＣＳＩ基準リソース内の位相追跡基準信号、ＰＴＲＳ、密度および／またはパターンに関連付けられる、導出することを含む。方法はさらに、ＣＱＩインデクスをネットワークノードに報告することを含む。
【００２８】
ある実施の形態では、前記ＣＱＩインデクスは、設定を介して、および／または、所与の関連付けを介して、および／または、所与の規則を介して、前記ＰＴＲＳ密度および／またはパターンに関連付けられる。ある実施の形態では、報告されるべき前記ＣＱＩインデクスを導出することは、報告されるべき前記ＣＱＩインデクスを、前記ＣＱＩインデクスに関連付けられた前記ＰＴＲＳ密度および／またはパターンに基づいて導出することを含む。
【００２９】
ある実施の形態では、報告されるべき前記ＣＱＩインデクスを導出することは、報告されるべき前記ＣＱＩインデクスを、複数のＣＱＩインデクスに関連付けられた複数のＰＴＲＳ密度および／またはパターンに基づいて導出することを含む。
【００３０】
ある実施の形態では、前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる。
【００３１】
無線通信システムにおけるＣＱＩインデクス報告のための無線デバイスの実施の形態が開示される。ある実施の形態では、無線デバイスはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ネットワークノードに報告されるべきＣＱＩインデクスを導出することであって、前記ＣＱＩインデクスは、ＣＳＩ基準リソース上での仮想的な伝送を前提として導出され、前記ＣＱＩインデクスは前記ＣＳＩ基準リソース内の位相追跡基準信号、ＰＴＲＳ、密度および／またはパターンに関連付けられる、導出することを行わせるよう構成される。ひとつ以上のプロセッサはさらに、無線デバイスに、ＣＱＩインデクスをネットワークノードに報告させるよう構成される。
【００３２】
無線通信システムにおけるＣＱＩインデクス報告のための無線デバイスの実施の形態が開示される。ある実施の形態では、無線デバイスはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ネットワークノードに報告されるべきＣＱＩインデクスを導出することであって、前記ＣＱＩインデクスは、ＣＳＩ基準リソース上での仮想的な伝送を前提として導出され、前記ＣＱＩインデクスは前記ＣＳＩ基準リソース内の位相追跡基準信号、ＰＴＲＳ、密度および／またはパターンに関連付けられる、導出することを行わせるよう構成される。ひとつ以上のプロセッサはさらに、無線デバイスに、ＣＱＩインデクスをネットワークノードに報告させるよう構成される。
【００３３】
無線通信システムにおいて無線デバイスによって報告されるべきＣＱＩインデクスを導出するための、無線デバイスによって行われる方法の実施の形態が開示される。ある実施の形態では、方法は、変調および符号化スキーム（ＭＣＳ）インデクスを選択することを含む。方法は、前記ＭＣＳインデクスにしたがってＰＴＲＳパターンおよび／または密度を取得することをさらに含む。方法はまた、前記ＭＣＳインデクスおよび前記ＰＴＲＳ密度および／またはパターンが与えられたときの物理ダウンリンクチャネル性能を決定することを含む。方法は追加的に、前記物理ダウンリンクチャネル性能が予め定義されたまたは予め設定された性能しきい値を充たすか否かを判定することを含む。方法はさらに、決定された前記物理ダウンリンクチャネル性能が前記予め定義されたまたは予め設定された性能しきい値を充たす場合、前記ＭＣＳインデクスを、さらなるＣＱＩインデクス導出のためのＭＣＳインデクスとして選択することを含む。方法はまた、前記無線デバイスによって報告されるべきＣＱＩインデクスを、さらなるＣＱＩインデクス導出のために選択された前記ＭＣＳインデクスに基づいて、導出することを含む。
【００３４】
ある実施の形態では、決定された前記物理ダウンリンクチャネル性能が前記予め定義されたまたは予め設定された性能しきい値を充たさない場合、方法はさらに、第２ＭＣＳインデクスを選択することを含む。方法はまた、前記第２ＭＣＳインデクスにしたがって第２ＰＴＲＳパターンおよび／または密度を取得することをさらに含む。方法は追加的に、前記第２ＭＣＳインデクスおよび前記第２ＰＴＲＳ密度および／またはパターンが与えられたときの第２物理ダウンリンクチャネル性能を決定することを含む。方法はさらに、前記第２物理ダウンリンクチャネル性能が予め定義されたまたは予め設定された性能しきい値を充たすか否かを判定することを含む。方法はまた、前記第２物理ダウンリンクチャネル性能が前記予め定義されたまたは予め設定された性能しきい値を充たす場合、前記第２ＭＣＳインデクスを、さらなるＣＱＩインデクス導出のためのＭＣＳインデクスとして選択することを含む。方法は追加的に、前記無線デバイスによって報告されるべきＣＱＩインデクスを、さらなるＣＱＩインデクス導出のために選択された前記ＭＣＳインデクスに基づいて、導出することを含む。
【００３５】
ある実施の形態では、方法はさらに、ユーザデータを提供することと、前記無線アクセスノードへの送信を介して、ホストコンピュータに、前記ユーザデータを転送することと、を含む。
【００３６】
無線通信システムにおけるＣＱＩインデクス報告のための無線デバイスの実施の形態が開示される。ある実施の形態では、無線デバイスはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ＭＣＳインデクスを選択することと、前記ＭＣＳインデクスにしたがってＰＴＲＳパターンおよび／または密度を取得することと、を行わせるよう構成される。ひとつ以上のプロセッサはさらに、無線デバイスに、前記ＭＣＳインデクスおよび前記ＰＴＲＳ密度および／またはパターンが与えられたときの物理ダウンリンクチャネル性能を決定することと、前記物理ダウンリンクチャネル性能が予め定義されたまたは予め設定された性能しきい値を充たすか否かを判定することと、を行わせるよう構成される。決定された前記物理ダウンリンクチャネル性能が前記予め定義されたまたは予め設定された性能しきい値を充たす場合、ひとつ以上のプロセッサは、無線デバイスに、前記ＭＣＳインデクスを、さらなるＣＱＩインデクス導出のためのＭＣＳインデクスとして選択することと、前記無線デバイスによって報告されるべきＣＱＩインデクスを、さらなるＣＱＩインデクス導出のために選択された前記ＭＣＳインデクスに基づいて、導出することと、を行わせるよう構成される。
【００３７】
無線通信システムにおけるＣＱＩインデクス報告のための無線デバイスの実施の形態が開示される。ある実施の形態では、無線デバイスはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ＭＣＳインデクスを選択することと、前記ＭＣＳインデクスにしたがってＰＴＲＳパターンおよび／または密度を取得することと、を行わせるよう構成される。ひとつ以上のプロセッサはさらに、無線デバイスに、前記ＭＣＳインデクスおよび前記ＰＴＲＳ密度および／またはパターンが与えられたときの物理ダウンリンクチャネル性能を決定することと、前記物理ダウンリンクチャネル性能が予め定義されたまたは予め設定された性能しきい値を充たすか否かを判定することと、を行わせるよう構成される。決定された前記物理ダウンリンクチャネル性能が前記予め定義されたまたは予め設定された性能しきい値を充たす場合、ひとつ以上のプロセッサは、無線デバイスに、前記ＭＣＳインデクスを、さらなるＣＱＩインデクス導出のためのＭＣＳインデクスとして選択することと、前記無線デバイスによって報告されるべきＣＱＩインデクスを、さらなるＣＱＩインデクス導出のために選択された前記ＭＣＳインデクスに基づいて、導出することと、を行わせるよう構成される。
【００３８】
無線通信システムにおけるＣＱＩインデクス報告のための、無線アクセスノードによって行われる方法の実施の形態が開示される。ある実施の形態では、方法は、ＣＳＩ基準リソースについて無線デバイスから報告されたＣＱＩインデクスを受信することであって、ＣＳＩ基準リソースにおける無線デバイス特有基準信号オーバヘッドはひとつ以上のパラメータと合致する、受信することを含む。
【００３９】
ある実施の形態では、前記ひとつ以上のパラメータは、直近に報告された対応するＣＳＩ報告セッティングのランク、追加的なＤＭＲＳシンボルの数、および／またはＤＭＲＳパターンを含む。ある実施の形態は、前記ひとつ以上のパラメータが、フロントロードＤＭＲＳシンボルの数、前記無線デバイス用に設定された予約リソース、および／または、前記ＣＳＩ基準リソースにおけるＯＦＤＭシンボルの数を含むことを提供してもよい。ある実施の形態によると、前記ＣＳＩ基準リソースにおけるＯＦＤＭシンボルの前記数は、前記ＣＳＩ基準リソースに関する対応する正当なダウンリンクサブフレームにおいて用いられるＯＦＤＭシンボルの数である。ある実施の形態では、前記ひとつ以上のパラメータは、準静的に設定されたスロットフォーマットを含む。
【００４０】
ある実施の形態では、報告された前記ＣＱＩインデクスは、前記ＣＳＩ基準リソース内のＰＴＲＳ密度および／またはパターンに関連付けられる。ある実施の形態では、報告された前記ＣＱＩインデクスは、設定を介して、および／または、所与の関連付けを介して、および／または、所与の規則を介して、前記ＰＴＲＳ密度および／またはパターンに関連付けられる。
【００４１】
ある実施の形態では、報告された前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる。
【００４２】
ある実施の形態では、方法はさらに、ユーザデータを取得することと、ホストコンピュータまたは無線デバイスに、前記ユーザデータを転送することと、を含む。
【００４３】
無線通信システムにおけるＣＱＩインデクス報告のための、無線アクセスノードの実施の形態が開示される。ある実施の形態では、無線アクセスノードはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ＣＳＩ基準リソースについて無線デバイスから報告されたＣＱＩインデクスを受信することであって、ＣＳＩ基準リソースにおける無線デバイス特有基準信号オーバヘッドはひとつ以上のパラメータと合致する、受信することを行わせるよう構成される。
【００４４】
無線通信システムにおけるＣＱＩインデクス報告のための、無線アクセスノード実施の形態が開示される。ある実施の形態では、無線アクセスノードはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ＣＳＩ基準リソースについて無線デバイスから報告されたＣＱＩインデクスを受信することであって、ＣＳＩ基準リソースにおける無線デバイス特有基準信号オーバヘッドはひとつ以上のパラメータと合致する、受信することを行わせるよう構成される。
【００４５】
無線通信システムにおけるＣＱＩインデクス報告のための、無線アクセスノードによって行われる方法の実施の形態が開示される。ある実施の形態では、方法は、ＣＳＩ基準リソースについて無線デバイスから報告されたＣＱＩインデクスを受信することであって、報告された前記ＣＱＩインデクスは前記ＣＳＩ基準リソース内のＰＴＲＳ密度および／またはパターンに関連付けられる、受信することを含む。
【００４６】
ある実施の形態では、報告された前記ＣＱＩインデクスは、設定を介して、および／または、所与の関連付けを介して、および／または、所与の規則を介して、前記ＰＴＲＳ密度および／またはパターンに関連付けられる。
【００４７】
ある実施の形態では、報告された前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる。
【００４８】
無線通信システムにおけるＣＱＩインデクス報告のための、無線アクセスノード実施の形態が開示される。ある実施の形態では、無線アクセスノードはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ＣＳＩ基準リソースについて無線デバイスから報告されたＣＱＩインデクスを受信することであって、報告された前記ＣＱＩインデクスは前記ＣＳＩ基準リソース内のＰＴＲＳ密度および／またはパターンに関連付けられる、受信することを行わせるよう構成される。
【００４９】
無線通信システムにおけるＣＱＩインデクス報告のための、無線アクセスノード実施の形態が開示される。ある実施の形態では、無線アクセスノードはひとつ以上の送信器およびひとつ以上の受信器と、前記ひとつ以上の送信器および前記ひとつ以上の受信器と関連付けられたひとつ以上のプロセッサと、を備える。ひとつ以上のプロセッサは、無線デバイスに、ＣＳＩ基準リソースについて無線デバイスから報告されたＣＱＩインデクスを受信することであって、ＣＳＩ基準リソースにおける無線デバイス特有基準信号オーバヘッドはひとつ以上のパラメータと合致する、受信することを行わせるよう構成される。
【図面の簡単な説明】
【００５０】
添付の図面は本明細書に組み入れられ本明細書の一部を形成する。添付の図面は本開示のいくつかの態様を説明し、詳細な説明と共に本開示の原理を説明する役割を有する。
【図１】ＤＬ−ＤＭＲＳ−ｌｅｎ＝１、ＤＬ−ＤＭＲＳ−ａｄｄ−ｐｏｓ＝１、ＤＬ−ＤＭＲＳ−ｃｏｎｆｉｇ−ｔｙｐｅ＝１の場合の復調基準信号（ＤＭＲＳ）パターンを示している。
【図２】ＤＬ−ＤＭＲＳ−ｌｅｎ＝１、ＤＬ−ＤＭＲＳ−ａｄｄ−ｐｏｓ＝２、ＤＬ−ＤＭＲＳ−ｃｏｎｆｉｇ−ｔｙｐｅ＝１の場合のＤＭＲＳパターンを示している。
【図３】ＫＰＴＲＳ＝２およびＬＰＴＲＳ＝１のときの位相追跡基準信号（ＰＴＲＳ）パターンを示す。
【図４】本開示のいくつかの実施の形態によるセルラ通信ネットワーク４００の一例を示す。
【図５】ＰＴＲＳオーバヘッドが考慮された後の、対応するスペクトル効率が導出されたチャネル品質インジケータ（ＣＱＩ）値に関連するスペクトル効率に最も近い、変調および符号化スキーム（ＭＣＳ）値によってＰＴＲＳ密度を決定するための１つの例示的な手順を示す。
【図６】本開示のいくつかの実施の形態による無線アクセスノードおよび無線デバイスの動作を示す。
【図７】本開示の他の実施の形態による無線アクセスノードおよび無線デバイスの動作を示す。
【図８】本開示のいくつかの実施の形態によるＣＱＩインデクス導出手順の一例を示すフローチャートを示す。
【図９】本開示のいくつかの実施の形態による無線アクセスノードの概略ブロック図を示す。
【図１０】本開示のいくつかの実施の形態による無線アクセスノード９００の仮想化された実施の形態の概略ブロック図を示す。
【図１１】本開示の他の実施の形態による無線アクセスノードの概略ブロック図を示す。
【図１２】本開示のいくつかの実施の形態によるユーザ装置（ＵＥ）の概略ブロック図を示す。
【図１３】本開示の他の実施の形態によるＵＥの概略ブロック図を示す。
【図１４】本開示のいくつかの実施の形態による電気通信ネットワークを含む通信システムを示す。
【図１５】本開示のいくつかの実施の形態による、ＵＥ、基地局、およびホストコンピュータの例示的な実装を示す。
【図１６】本開示のいくつかの実施の形態による、通信システムにおいて実施される方法を示すフローチャートを示す。
【図１７】本開示の他の実施の形態による通信システムにおいて実施される方法を示すフローチャートを示す。
【図１８】本開示のさらに別の実施の形態による通信システムにおいて実施される方法を示すフローチャートを示す。
【図１９】本開示のさらに別の実施の形態による通信システムにおいて実施される方法を示すフローチャートを示す。
【発明を実施するための形態】
【００５１】
一般に、本明細書で使用されるすべての用語は、異なる意味が明確に与えられ、かつ／またはそれが使用される文脈から暗示されない限り、関連する技術分野におけるそれらの通常の意味に従って解釈されるべきである。ａ／ａｎ／ｔｈｅ要素、装置、構成要素、手段、ステップなどへの言及はすべて、特に明記しない限り、要素、装置、構成要素、手段、ステップなどの少なくとも１つのインスタンスを指すものとして制限なく解釈されるべきである。本明細書に開示される任意の方法のステップは、ステップが別のステップの後または前として明示的に記載されていない限り、および／またはステップが別のステップの後または前になければならないことが暗黙的でない限り、開示される正確な順序で実行される必要はない。本明細書に開示される実施の形態のいずれかの任意の特徴は、適切な場合には任意の他の実施の形態に適用されてもよい。同様に、任意の実施の形態の任意の利点は任意の他の実施の形態に適用することができ、その逆も同様である。添付の実施の形態の他の目的、特徴、および利点は、以下の説明から明らかになるのであろう。
【００５２】
無線ノード：本明細書で使用される場合、「無線ノード」は、無線アクセスノードまたは無線デバイスのいずれかである。
【００５３】
無線アクセスノード：本明細書で使用される場合、「無線アクセスノード」または「無線ネットワークノード」は、信号を無線で送信および／または受信するように動作するセルラ通信ネットワークの無線アクセスネットワーク内の任意のノードである。無線アクセスノードのいくつかの例は、基地局（例えば、第３世代パートナーシッププロジェクト（３ＧＰＰ）、第５世代（５Ｇ）ＮＲネットワークにおけるニューラジオ（ＮＲ）ノードＢ（ｇＮＢ）、または３ＧＰＰロングタームエボリューション（ＬＴＥ）ネットワークにおける拡張または進化型ノードＢ（ｅＮＢ））、高電力またはマクロ基地局、低電力基地局（例えば、マイクロ基地局、ピコ基地局、ホームｅＮＢなど）、およびリレーノードを含むが、これらに限定されない。
【００５４】
コアネットワークノード：本明細書で使用される場合、「コアネットワークノード」は、コアネットワーク内の任意のタイプのノードである。コアネットワークノードの例は、例えば、モビリティマネジメントエンティティ（ＭＭＥ）、パケットデータネットワークゲートウェイ（Ｐ−ＧＷ）、サービスケーパビリティエクスポージャ機能（ＳＣＥＦ）等を含む。
【００５５】
無線デバイス：本明細書で使用される場合、「無線デバイス」は（１つまたは複数の）無線アクセスノードに信号を無線で送信および／または受信することによって、セルラ通信ネットワークにアクセスする（すなわち、セルラ通信ネットワークによってサービスされる）任意のタイプのデバイスである。無線デバイスのいくつかの例は、３ＧＰＰネットワーク内のユーザ装置（ＵＥ）およびマシンタイプ通信（ＭＴＣ）デバイスを含むが、これらに限定されない。
【００５６】
ネットワークノード：本明細書で使用される場合、「ネットワークノード」は、無線アクセスネットワークの一部であるか、またはセルラ通信ネットワーク／システムのコアネットワークである任意のノードである。
【００５７】
本明細書で与えられる説明は３ＧＰＰセルラ通信システムに焦点を当てており、したがって、３ＧＰＰ用語または３ＧＰＰ用語に類似する用語がしばしば使用されることに留意されたい。しかしながら、本明細書で開示される概念は、３ＧＰＰシステムに限定されない。
【００５８】
本明細書の説明では「セル」という用語を参照することができるが、特に５Ｇ  ＮＲ概念に関してはセルの代わりにビームを使用することができ、したがって、本明細書で説明する概念がセルおよびビームの両方に等しく適用可能であることに留意することが重要であることに留意されたい。
【００５９】
現在のところ、既存の解決策には、ある種の課題が存在する。上述のように、現在のＣＱＩ定義は、ＣＳＩ基準リソースに関連付けられる。ＣＳＩ基準リソースのオーバヘッドは、ＵＥがＣＱＩ値を導出するときに予め知られている。ＣＱＩインデクスに対応する変調スキームとトランスポートブロックサイズとの組合せを有する単一のＰＤＳＣＨトランスポートブロックについて、ＣＳＩ基準リソースと同じ数のＲＥがこのＰＤＳＣＨ送信のために使用される場合、ブロック誤り率（ＢＬＥＲ）は、所与の閾値を超えないと予想される。
【００６０】
しかしながら、現在のＮＲでは、ＣＳＩ基準リソースのオーバヘッドが事前に知られていないことがある。オーバヘッドが事前に知られていない場合、ｇＮＢおよびＵＥは、同じスペクトル効率に基づいて、異なるトランスポートブロックサイズ（ＴＢＳ）を取得し得る。したがって、それは、報告されたＣＱＩについての何らかの誤解をｇＮＢに生じさせることになる。この問題につながる２つの要因がある。
【００６１】
第１の要因は、ＰＤＳＣＨ送信のためのオーバヘッドが動的に変化し得ることである。現在のＲＡＮ１の議論によれば、ＤＭＲＳオーバヘッドは動的に変更され得る。たとえば、単一ユーザ複数入力複数出力（ＳＵ−ＭＩＭＯ）の場合であって、２つのレイヤが設定されている場合には、ｃｏｍｂへのＤＭＲＳポートマッピングに２つのマッピング方法を使用できる。最初のマッピング方法では、２つのポートが同じｃｏｍｂにマッピングされる。２番目のマッピング方法では、２つのポートが異なるｃｏｍｂにマッピングされる。どのマッピング方法を使用するかは、ダウンリンク制御情報（ＤＣＩ）によって動的に示すことができる。図１に示される一例として、第１のマッピング方法が使用されるとき、クロスハッチングでマークされたＲＥのみがＤＭＲＳ２レイヤ送信のために使用され、第２のマッピング方法が使用されるとき、クロスハッチングでマークされたＲＥは１レイヤＤＭＲＳ送信のために使用され、斜めハッチングでマークされたＲＥは他のレイヤＤＭＲＳ送信のために使用される。２番目のマッピング方法のオーバヘッドは、１番目のマッピング方法のオーバヘッドよりも大きくなる。
【００６２】
第２の要因は、ＰＤＳＣＨ送信のためのオーバヘッドがＣＱＩフィードバック自体に関連付けられることである。表２に示されるように、ＰＴＲＳの時間密度はスケジューリングされたＭＣＳの関数である。一例として、ひとつのＣＱＩインデクスが導出される場合、対応するＭＣＳがｐｔｒｓ−ＭＣＳ３よりも大きい場合、ＬＰＴ−ＲＳ＝１、ＰＴＲＳパターンは図３に示される左側のパターンに対応する。対応するＭＣＳがｐｔｒｓ−ＭＣＳ３よりも小さく、かつ、ｐｔｒｓ−ＭＣＳ２よりも大きい場合、ＬＰＴ−ＲＳ＝２、ＰＴＲＳパターンは図３に示される右側のパターンに対応する。導出されたＭＣＳが異なるとＲＳオーバヘッドも異なる。ｇＮＢとＵＥとがオーバヘッドについての異なる仮定を有すると、ＭＣＳは正確でなくなる可能性がある。
【００６３】
本開示およびその実施形態の特定の態様は、上述の困難または他の困難に対する解決策を提供することができる。本開示は、以下の主要な提案を記載する：
●ＣＳＩ基準リソースにおけるＰＴＲＳ密度はＣＱＩ値に関連付けられ、その関連付けは設定された、または事前定義された、または事前定義された規則によって決定された無線リソース制御（ＲＲＣ）とすることができる；
●ＣＳＩ基準リソース内のＵＥ固有基準信号オーバヘッドは以下のうちの１つまたは複数と一致する：
○ＣＳＩ−ＲＳポートが複数設定されている場合のＣＳＩレポートセッティングの最新の報告されたランク、およびＣＳＩ−ＲＳポートが１つのみ設定されている場合のランク１の送信と整合する；
○追加的なＤＭＲＳシンボル数；
○ＤＭＲＳ設定タイプ；
○ＤＭＲＳパターン；
○予約されたリソース、例えば、ロングタームエボリューション（ＬＴＥ）セル固有基準信号（ＣＲＳ）のための予約されたリソース、の存在；
○ＣＳＩ基準リソース内のＯＦＤＭシンボルの数；
●ＵＥは、変調、符号化率、ならびにＰＴＲＳ密度およびパターンの組合せに基づいてＣＱＩを導出する。
【００６４】
本明細書で開示される問題のうちの１つまたは複数に対処する様々な実施の形態が、本明細書で提案される。
【００６５】
ある実施の形態は以下の技術的利点のうちのひとつ以上を提供可能である。本開示の利点は以下のとおりである：
●提案される方法に基づくと、ＴＢＳ決定の曖昧さを避けることができる。
●提案される方法に基づくと、より正確なＣＱＩフィードバックを提供できる。
【００６６】
ここで、本明細書で企図される実施形態のいくつかを、添付の図面を参照してより完全に説明する。しかしながら、他の実施形態は本明細書に開示された主題の範囲内に含まれ、開示された主題は本明細書に記載された実施形態のみに限定されると解釈されるべきではなく、むしろ、これらの実施形態は主題の範囲を当業者に伝えるために例として提供される。
【００６７】
図４は、本開示のいくつかの実施の形態によるセルラ通信ネットワーク４００の一例を示す。本明細書で説明される実施の形態では、セルラ通信ネットワーク４００は５Ｇ  ＮＲネットワークである。この例では、セルラ通信ネットワーク４００は、５Ｇ  ＮＲではｇＮＢと呼ばれる基地局４０２−１および４０２−２を含み、対応するマクロセル４０４−１および４０４−２を制御する。基地局４０２−１および４０２−２は本明細書では総称して基地局４０２と呼ばれ、個別に基地局４０２と呼ばれ、本明細書では無線アクセスノード４０２と呼ばれることもある。同様に、マクロセル４０４−１および４０４−２は、本明細書では一般に集合的にマクロセル４０４と呼ばれ、個別にマクロセル４０４と呼ばれる。セルラ通信ネットワーク４００は、対応する小セル４０８−１〜４０８−４を制御する多数の低電力ノード４０６−１〜４０６−４も含むことができる。低電力ノード４０６−１〜４０６−４は、小型基地局（ピコまたはフェムト基地局など）または遠隔無線ヘッド（ＲＲＨ）などとすることができる。特に、図示されていないが、小セル４０８−１〜４０８−４のうちの１つ以上は代替的に、基地局４０２によって提供されてもよい。低電力ノード４０６−１〜４０６−４は、本明細書では全体として低電力ノード４０６と呼ばれ、個別に低電力ノード４０６と呼ばれる。同様に、小セル４０８−１〜４０８−４は、本明細書では全体として小セル４０８と呼ばれ、個別に小セル４０８と呼ばれる。基地局４０２（および任意選択で低電力ノード４０６）は、コアネットワーク４１０に接続される。
【００６８】
基地局４０２および低電力ノード４０６は、対応するセル４０４および４０８内の無線デバイス４１２−１から４１２−５にサービスを提供する。無線デバイス４１２−１〜４１２−５は、本明細書では全体として無線デバイス４１２と呼ばれ、個別に無線デバイス４１２と呼ばれる。無線デバイス４１２は、本明細書ではＵＥとも呼ばれることがある。
【００６９】
ここで、本明細書に開示される実施の形態によるＰＴＲＳ取扱いのための例示的な方法を論じる。第１の実施の形態では、ＣＳＩ基準リソースにおけるＰＴＲＳ密度は、選択されたＣＱＩ値に関連付けられる。第１のさらなる実施の形態として、ＤＬ−ＰＴＲＳ−ｔｉｍｅ−ｄｅｎｓｉｔｙにおけるＭＣＳしきい値によるＰＴＲＳ時間密度が想定され、ここで、ｐｔｒｓ−ＭＣＳしきい値はＣＱＩしきい値にマッピングされる。マッピングは、高位レイヤで設定されるか、事前定義されているか、事前定義されたルールによって決定される。一例として、ｐｔｒｓ−ＭＣＳ１、ｐｔｒｓ−ＭＣＳ２、ｐｔｒｓ−ＭＣＳ３、ｐｔｒｓ−ＭＣＳ４は、表４に従ってＣＱＩ１、ＣＱＩ２、ＣＱ３、ＣＱＩ４にマッピングされ得る。したがって、ＣＳＩ基準リソースにおけるＰＴＲＳの時間密度は、表５によって与えられうる。
【００７０】
いくつかの実施の形態では、ＣＱＩテーブルは１６個のエントリを含み、ＭＣＳテーブルは３２個のエントリを含む。ＭＣＳテーブルは、ＣＱＩテーブル内のエントリ１〜１５もＭＣＳテーブル内に含まれるように構成することができる（すなわち、ＭＣＳテーブル内には、同じ目標符号化率および変調を有する対応するエントリがある）。その場合、一実施形態では、ｐｔｒｓ−ＭＣＳ値は、そのようなエントリが存在する場合、同じ符号化率および変調を有する対応するＣＱＩ値に暗黙的にマッピングされ、またはそのようなエントリが存在しない場合、ｐｔｒｓ−ＭＣＳに最も近いＭＣＳ値に対応するＣＱＩ値がマッピングに使用される。
【表４】
2021503733.tif 000014
【表５】
2021503733.tif 000015
【００７１】
第１の実施の形態の第２のさらなる実施の形態として、ＣＱＩインデクスしきい値は、ＣＳＩ基準リソースにおけるＰＴＲＳ密度仮定の上位レイヤシグナリングによって設定される。この実施の形態によれば、ｇＮＢは、表５に含まれる情報を端末に直接シグナリングすることができる。
【００７２】
第１の実施の形態の第３のさらなる実施の形態として、ＰＴＲＳ密度に対するＣＱＩ値の関連付けは、ＣＱＩフィードバックテーブルにおいて直接設定される。１つの例は表６として与えられ、ここで、ＵＥがＣＱＩ演算において仮定する時間密度は表に示され、ＰＴＲＳがダウンリンク送信のために設定される場合、ＵＥはこのオーバヘッドを使用し、そうでなければＵＥはＣＱＩを演算するとき、このオーバヘッドを無視する。この例では、時間密度のみが適応され、周波数密度は固定オーバヘッド、例えば、１つおきのリソースブロック（ＲＢ）、ＫＰＴＲＳ＝２であると仮定することができる。
【表６】
2021503733.tif 000016
【００７３】
第１の実施の形態の第４のさらなる実施の形態として、ＣＱＩ値に対するＰＴＲＳ密度の関連付けは、事前定義された規則に従って定義される。予め定められた規則の一例として、ＰＴＲＳ密度は、ＰＴＲＳオーバヘッドが考慮された後の対応するスペクトル効率が導出されたＣＱＩ値に関連するスペクトル効率に最も近いＭＣＳ値によって決定される。手順の一例を図５に示す。ＣＳＩ基準リソースのＰＴＲＳ密度を得るために、ＰＴＲＳオーバヘッドが考慮された後の対応するスペクトル効率が導出されたＣＱＩ値に関連するスペクトル効率に最も近いＭＣＳ値を、最初に得ることができ、ＭＣＳ値は、以下によって与えられうる：
2021503733.tif 000017
ここでｆ１（・）、ｆ２（・）、ｆ３（・）は関数、およびそしてＣＱＩｉｎｄｅｘについてのＣＳＩ基準リソースにおけるＰＴＲＳ密度を
2021503733.tif 000018
に関連付けられたＰＴＲＳ密度として設定する。
【００７４】
2021503733.tif 000019
の一例として、
2021503733.tif 000020
、ＣＱＩｉｎｄｅｘおよびレイヤ数、スケジューリングされたリソース、ＣＳＩ−ＲＳからのオーバヘッドのアカウント、ＣＯＲＥＳＥＴなどの他の関連パラメータが与えられたときのスペクトル効率として理解される。
【００７５】
一例として、ｆ２（・）の関数は以下であってもよい：
2021503733.tif 000021
ここで、
2021503733.tif 000022
はＣＱＩインデクスによって示される変調に対応するビット数である。例えば、１６ＱＡＭが示される場合、
2021503733.tif 000023
＝４。
2021503733.tif 000024
はＣＱＩインデクスによって示される効率的な符号化率であり、νはレイヤ数である。ｆ２（ＣＱＩｉｎｄｅｘ）はＣＱＩインデクスによって示される効率として理解されてもよい。
【００７６】
ｆ３（ｆ１（・）、ｆ２（・））の一例として、それは以下によって与えられてもよい：
ｆ３（ｆ１（・）、ｆ２（・））＝ａｂｓ（ｆ１（・）−ｆ２（・））
【００７７】
一例の手順として、それは以下のステップのうちのひとつ以上を含んでもよい：
●ステップ５００：ＣＱＩｉｎｄｅｘにしたがって変調
2021503733.tif 000025
を決定。
●ステップ５０２：対応する変調が
2021503733.tif 000026
であるひとつの
2021503733.tif 000027
を選択。
●ステップ５０４：選択された
2021503733.tif 000028
と、高位パラメータＤＬ−ＰＴＲＳ−ｔｉｍｅ−ｄｅｎｓｉｔｙおよびＤＬ−ＰＴＲＳ−ｆｒｅｑｕｅｎｃｙ−ｄｅｎｓｉｔｙと、にしたがって、ＰＴＲＳ密度を決定。
●ステップ５０６：利用可能なＲＥの実際の数を算出、その実際の数はＰＴＲＳオーバヘッドおよびＣＳＩ−ＲＳ、ＣＯＲＥＳＥＴ、ＤＭＲＳなどからのオーバヘッドの他のアカウントを除く、ならびに、さらに、リソース要素の数を決定、その数は、ＲＥの複数の基準数と比べたときの利用可能なＲＥの実際の数に基づいて決定される。
●ステップ５０８：実際のＴＢＳを決定し、さらに、選択された
2021503733.tif 000029
の有効スペクトル効率を、以下のうちのひとつ以上に基づいて、決定：
○決定された変調次数、
2021503733.tif 000030
○決定された符号化率、これはＭＣＳインデクス（
2021503733.tif 000031
）から取得される
○決定されたリソース要素の数
○実際のＴＢＳサイズ；その実際のＴＢＳサイズは以下のうちのひとつ以上に関連付けられてもよい：
■チャネル符号化決定に従う情報ビットの「中間」数
■符号化率の限界
■特定のパケットサイズ（例えば、インターネットプロトコルを介した音声（ＶｏＩＰ））
■特定のサービス（例えば、超高信頼かつ低レイテンシ通信（ＵＲＬＬＣ）等）
■バイトアライメント
■コードブックセグメンテーション
●ステップ５１０：算出された有効スペクトル効率が、ＣＱＩｉｎｄｅｘによって示されるスペクトル効率に最も近いか検査する
●ステップ５１２：算出された有効スペクトル効率がＣＱＩｉｎｄｅｘによって示されるスペクトル効率に最も近い場合、
2021503733.tif 000032
を
2021503733.tif 000033
として決定する。そうでなければ、新たな選択された
2021503733.tif 000034
についてのステップ５０２に進む。
●ステップ５１４：導出されたＣＱＩ値がＣＱＩｉｎｄｅｘである場合、
2021503733.tif 000035
に関連付けられたＰＴＲＳ密度をＣＳＩ基準リソースのＰＴＲＳ密度として設定。
【００７８】
ステップ５０８で、情報ビットの「中間」数はＮＲＥ・ν・Ｑｍ・Ｒによって与えられてもよく、ここで、
○νはレイヤ数であり、
○Ｑｍは変調次数であり、ＭＣＳインデクスから得られ、
○Ｒは符号化率であり、ＭＣＳインデクスから得られ、
○ＮＲＥはリソース要素の数であり、
○ＮＲＥ＝Ｙ＊＃ＰＲＢｓ＿ｓｃｈｅｄｕｌｅｄ
【００７９】
●１スロット内のＮＲＥ（ＲＥの数）を決定する場合、
○Ｘ＝１２＊＃ＯＦＤＭ＿ｓｙｍｂｏｌｓ＿ｓｃｈｅｄｕｌｅｄ−Ｘｄ−Ｘｏｈを決定する。
■スケジューリングされた期間においてＸｄ＝＃ＲＥｓ＿ｆｏｒ＿ＤＭＲＳ＿ｐｅｒ＿ＰＲＢ
■Ｘｏｈ＝ＣＳＩ−ＲＳ、ＣＯＲＥＳＥＴなどからのオーバヘッドのアカウントであり、アップリンクにひとつ、ダウンリンクにひとつある
■Ｘｏｈは準静的に決定される
○Ｘを、事前定義された値の集合のうちの１つに量子化し、Ｙを得る
■［８］値
●すべての送信期間に対して妥当な精度を考慮する必要がある
●スケジュールされているシンボルの数に依存することがある
■量子化は、Ｘの値にフロア関数、シーリング関数、または他の何らかの制約を適用することを含むことができる
■いくつかの実施の形態では、量子化は必要とされないことがある
■いくつかの実施の形態は、量子化ステップが、再送信に使用されるレイヤの数にかかわらず、送信と再送信との間で同じトランスポートブロックサイズ（ＴＢＳ）を得ることができることを保証しなければならないことを提供することができる。さもなければ、Ｘｄはレイヤの数とは無関係でなければならない。
【００８０】
ステップ５０６およびステップ５０８の別の代替として、スペクトル効率は
2021503733.tif 000036
によって近似される。
ここで、
2021503733.tif 000037
は変調次数であり、ＭＣＳインデクス（
2021503733.tif 000038
）から得られる
2021503733.tif 000039
は決定された符号化率であり、ＭＣＳインデクス（
2021503733.tif 000040
）から得られる。
【００８１】
第２の実施の形態では、ＣＳＩ基準リソースにおいて、ＰＴＲＳ密度はＤＬ−ＰＴＲＳ−ｔｉｍｅ−ｄｅｎｓｉｔｙおよびＤＬ−ＰＴＲＳ−ｆｒｅｑｕｅｎｃｙ−ｄｅｎｓｉｔｙがＲＲＣによって設定されている場合は第１のＰＴＲＳ密度として仮定され、ＤＬ−ＰＴＲＳ−ｔｉｍｅ−ｄｅｎｓｉｔｙおよびＤＬ−ＰＴＲＳ−ｆｒｅｑｕｅｎｃｙ−ｄｅｎｓｉｔｙが設定されていない場合は第２のＰＴＲＳ密度として仮定される。第２の実施の形態において、第１のＰＴＲＳ密度は、第２のＰＴＲＳ密度と同じであってもよい。第１のＰＴＲＳ密度の一例として、ＤＬ−ＰＴＲＳ−ｔｉｍｅ−ｄｅｎｓｉｔｙおよびＤＬ−ＰＴＲＳ−ｆｒｅｑｕｅｎｃｙ−ｄｅｎｓｉｔｙがＲＲＣによって設定される場合、Ｌ＿ＰＴＲＳ＝１およびＫ＿ＰＴＲＳ＝２と仮定することができる。第２のＰＴＲＳ密度の一例として、ＰＴＲＳは、ＤＬ−ＰＴＲＳ−ｔｉｍｅ−ｄｅｎｓｉｔｙおよびＤＬ−ＰＴＲＳ−ｆｒｅｑｕｅｎｃｙ−ｄｅｎｓｉｔｙが設定されていない場合のデフォルトの場合のように、すべてのＯＦＤＭシンボルおよびすべての第２のＰＲＢに存在すると仮定される。ＤＬ−ＰＴＲＳ−ｐｒｅｓｅｎｔが設定されていない場合、ＵＥはＣＳＩ基準リソース内のリソース要素がＰＴＲＳに使用されていないと見なす。
【００８２】
図６は、上述の実施の形態のうちの少なくともいくつかによる無線アクセスノード４０２および無線デバイス４１２の動作を示す。このプロセスは、低電力ノード４０６にも同様に適用可能であることに留意されたい。任意選択のステップは、破線によって表される。図示されているように、無線アクセスノード４０２は、オプションとして、無線デバイス４１２のための１つまたは複数の、しかし好ましくは複数の、ＰＴＲＳパターンおよび／または密度対ＣＱＩインデクス関連付けを設定する（ステップ６００）。いくつかの実施の形態ではこれはＲＲＣ設定を介して行われるが、これに限定されない。
【００８３】
無線デバイス４１２は、ＣＳＩ基準リソースについて報告するためのＣＱＩインデクスを導出し（たとえば、選択し）、ＣＱＩインデクスは、ＣＳＩ基準リソース内のＰＴＲＳ密度および／またはパターンに関連付けられる（ステップ６０２）。いくつかの実施の形態では、無線アクセスノード４０２に報告するためにＣＱＩインデクスを選択するときに、複数のＣＱＩインデクス値と、それらのＣＱＩインデクス値に対するＰＴＲＳ密度および／またはパターンとの間の既知の関連付けが、無線デバイス４１２によって使用される。例えば、ＣＱＩインデクス導出手順は、ＣＳＩ基準リソースにおけるオーバヘッドを考慮に入れることができ、このオーバヘッドはＰＴＲＳを含み、ＣＳＩ基準リソースにおけるＰＴＲＳ密度および／またはパターンは、ＣＱＩインデクス値の間で変化する。任意の特定のＣＱＩインデクスについて、ＰＴＲＳに起因するオーバヘッドは、関連するＰＴＲＳ密度および／またはパターンに基づいて決定可能である。
【００８４】
ＣＱＩインデクスとＰＴＲＳ密度および／またはパターンとの間の関連付けは、例えば、上述の実施の形態のいずれかに従って決定されてもよい。例えば、いくつかの実施の形態では、ＣＱＩインデクスとＰＴＲＳ密度および／またはパターンとの間の関連付けは例えば、適切な規格を介して予め定義される。いくつかの他の実施の形態では、ＣＱＩインデクスとＰＴＲＳ密度および／またはパターンとの間の関連付けは、例えば、無線アクセスノード４０２などのネットワークノードを介して設定される。いくつかの他の実施の形態では、ＣＱＩインデクスとＰＴＲＳ密度および／またはパターンとの間の関連付けは、例えば、図５に関して上述したように、１つまたは複数の事前定義された規則に基づいて無線デバイス４１２によって決定される。
【００８５】
無線デバイス４１２は、導出されたＣＱＩインデクスを無線アクセスノード４０２に報告し、ここでも、ＣＱＩインデクスは、対応するＰＴＲＳ密度および／またはパターンに関連付けられる（ステップ６０４）。ＣＱＩインデクスとＰＴＲＳ密度および／またはパターンとの間の関連付けは、無線アクセスノード４０２によって知られているか、または決定することができる。このようにして、無線アクセスノード４０２および無線デバイス４１２は、ＣＳＩ基準リソースにおけるＰＴＲＳ密度および／またはパターンの共通の理解を有する。任意選択で、無線アクセスノード４０２は、１つまたは複数の動作タスク（たとえば、無線デバイス４１２へのダウンリンク許可のためのＭＣＳ選択）のために、報告されたＣＱＩインデクスと、潜在的に関連するＰＴＲＳパターンおよび／または密度とを利用する（ステップ６０６）。
【００８６】
本明細書で開示されるいくつかの実施の形態による、ＣＳＩ基準リソースにおけるＤＭＲＳ取り扱いのための例示的な方法が、ここで議論される。ＣＳＩ基準リソースにおけるＤＭＲＳ取り扱いのためのこれらの方法は、いくつかの実施の形態では上述のＰＴＲＳ取り扱いのための方法と組み合わせることができることに留意されたい。
【００８７】
ある実施の形態では、ＣＳＩ基準リソース内のＵＥ固有基準信号オーバヘッドは以下のうちの１つまたは複数と一致する：
●ＣＳＩ−ＲＳポートが複数設定されている場合のＣＳＩレポートセッティングの最新の報告されたランク、およびＣＳＩ−ＲＳポートが１つのみ設定されている場合のランク１の送信と整合する
●追加的なＤＭＲＳシンボル数
●ＤＭＲＳ設定タイプ
●ＤＭＲＳパターン
●ＮＲ周波数帯域がＬＴＥ周波数帯域と重複する場合、例えば、ＮＲに干渉することなくＬＴＥ  ＣＲＳの送信を可能にするようにＵＥに設定された予約されたリソース
●ＣＳＩ基準リソース内のＯＦＤＭシンボルの数
●準静的に設定された（設定されている場合）スロットフォーマットであって、例えば、スロットが１０個のダウンリンクシンボルおよび４個のアップリンクシンボルを有する場合、ＰＤＳＣＨと同じスロット内で超高速ハイブリッド自動再送要求（ＨＡＲＱ）アクノレッジメント（ＡＣＫ）フィードバックを可能にするためのものであり、ＣＳＩ基準リソースは１スロット内の利用可能なＰＤＳＣＨシンボルの数、または１スロット内の設定されたＰＤＳＣＨシンボルの平均数を考慮に入れることができ、平均はフレームまたは複数のフレームのセットなどの期間にわたってとられる（例えば、準静的スロットフォーマットインジケーションの周期性に対応する、例えば、４０ミリ秒（ｍｓ）、８０ｍｓなど）。
【００８８】
ＣＳＩ基準リソース内のＵＥ固有基準信号オーバヘッドが追加的なＤＭＲＳシンボルの数と整合する場合、それは、ＰＤＳＣＨ送信のための、より高位のレイヤで設定された追加的なＤＭＲＳシンボルと揃えることが可能であり、および／または、それは、ＣＳＩ基準リソース内の追加的なＤＭＲＳシンボルの数を設定するために、別個のシグナリングを使用することもできる。上位レイヤシグナリングによって設定される場合、ＵＥは、上位レイヤで設定された追加的なＤＭＲＳシンボルの数がＣＳＩ基準リソースにおいて考慮されると仮定することができる。また、事前定義することもできる。例えば、デフォルトとして、ただ１つのフロントロードされたＯＦＤＭシンボルのみがＣＳＩ基準リソースにおいて仮定される。所定の規則の一例として、ＵＥは、ＲＩ＝１〜４について単一のシンボルフロントロードＤＭＲＳシンボルを仮定し、ＲＩ＝５〜８について２つのシンボルフロントロードＤＭＲＳシンボルを仮定する。また、所定の規則によって決定することもできる。規則は、実際のＰＤＳＣＨ送信のためのＤＭＲＳシンボル決定と合わせることができる。
【００８９】
ＣＳＩ基準リソースにおけるＵＥ固有基準信号オーバヘッドがＤＭＲＳ設定タイプと整合する場合、それは、ＰＤＳＣＨ送信において実際に使用されるＤＭＲＳ用に設定されたＲＲＣと合わせることができ、および／または、それは、ＣＳＩ基準リソースにおいて使用されるＤＭＲＳ設定タイプのための別個のＲＲＣシグナリングによって設定可能であり、また、事前に定義も可能である。
【００９０】
ＣＳＩ基準リソース内のＵＥ固有基準信号オーバヘッドがＤＭＲＳパターンと整合する場合、それは、以下のうちの１つまたは複数とすることができる：
●最新の受信ダウンリンク制御インジケータに示されるものと合わせることができる。
●ＲＲＣシグナリングとして設定することができる
●事前定義が可能である
●事前に定義されたルールに従って決定することができる
【００９１】
ＤＭＲＳパターンが最新の受信されたダウンリンク制御インジケータにおいて示されるものと合っているとき、それは、最新のＰＤＳＣＨ送信のためのオーバヘッド仮定がＣＳＩ基準リソースにおけるオーバヘッド仮定であると仮定できることを含む。一例として、ＲＩ＝２の場合、アンテナポートが最新の受信ダウンリンク制御インジケータにおいてただ１つの「ｃｏｍｂ」にマッピングされる場合、ＤＭＲＳのオーバヘッドは１つの「ｃｏｍｂ」に等しいと仮定され、アンテナポートが２つの「ｃｏｍｂ」にマッピングされる場合、ＤＭＲＳのオーバヘッドは２つの「ｃｏｍｂ」に等しいと仮定される    パターンを決定するために、それは、事前定義されてもよく、ＲＲＣで設定されてもよく、または事前定義された規則に従って決定されてもよい。予め定義されている場合、ＤＭＲＳパターンは、ＤＣＩスケジューリングにかかわらず固定される。ＲＲＣで設定される場合、ＣＳＩ基準リソースのＤＭＲＳパターンはＲＲＣ設定に従って決定される。事前定義された規則の場合、規則に基づいてＤＭＲＳパターンを導出可能である。規則の一つの例として、ＳＵ‐ＭＩＭＯに用いるＤＭＲＳパターンを、複数ユーザ複数入力複数出力（ＭＵ‐ＭＩＭＯ）の場合にも適用する。
【００９２】
直近に報告されたランクが変更され、基準ＤＭＲＳパターンが存在しない場合、ＤＭＲＳパターンは、ＲＲＣシグナリングによって設定されてもよく、事前定義されてもよく、または事前定義された規則に従って決定されてもよい。所定の規則の一例として、最新の受信ダウンリンク制御インジケータ内のｃｏｍｂへのレイヤマッピングは、任意のランクについて使用可能である。
【００９３】
ＣＳＩ基準リソース内のＵＥ固有基準信号オーバヘッドがＣＳＩ基準リソース内のＯＦＤＭシンボルの数と整合する場合、それは、ＣＳＩ基準リソースに関連する対応する有効なダウンリンクサブフレーム内で使用されるＯＦＤＭシンボルの数とすることができる。また、ＲＲＣシグナリングによって設定することもできる。また、それは、事前定義された規則に従って事前定義または決定することもできる。いくつかの実施の形態では、ＣＳＩ基準リソース内のＯＦＤＭシンボルの数は、各ＣＳＩレポートセッティングに対してＲＲＣで設定される、すなわち、それはＲｅｐｏｒｔＣｏｎｆｉｇ  ＩＥの一部である。これにより、ｇＮＢは、異なる非周期的ＣＳＩレポートをトリガすることによって、ＣＱＩ演算のためにＵＥによって使用されるＣＳＩ基準リソース仮定を動的に変更することができる。例えば、１つのＣＳＩレポートセッティングではスロット内のすべてのＯＦＤＭシンボルをＣＳＩ基準リソースとして使用することができ、別のＣＳＩレポート設定では４つのシンボルなど、より少ない数のＯＦＤＭシンボルを使用することができる。そのような設定は、ｇＮＢが非スロットベースのスケジューリングでＵＥをスケジュールすることを意図する場合に適切であり得る。
【００９４】
図７は、上述の実施の形態のうちの少なくともいくつかによる無線アクセスノード４０２および無線デバイス４１２の動作を示す。このプロセスは、低電力ノード４０６にも同様に適用可能であることに留意されたい。任意選択のステップは、破線によって表される。図示されているように、無線アクセスノード４０２は、オプションとして、無線デバイス４１２のための１つまたは複数の、しかし好ましくは複数の、ＰＴＲＳパターンおよび／または密度対ＣＱＩインデクス関連付けを設定する（ステップ７００）。いくつかの実施の形態ではこれはＲＲＣ設定を介して行われるが、これに限定されない。
【００９５】
無線デバイス４１２はＣＳＩ基準リソースについて報告するためのＣＱＩインデクスを導出する（例えば、選択する）（ステップ７０２）。言い換えれば、当業者には理解されるように、無線デバイス４１２は、（これも仮定的な）ＣＳＩ基準リソース上での仮定的なＰＤＳＣＨ送信を仮定して、ＣＱＩインデクス（所望の変調および符号化スキーム）を導出する。ある実施の形態では、上述のとおり、ＣＱＩインデクスは、ＣＳＩ基準リソース内のＰＴＲＳ密度および／またはパターンに関連付けられる。さらに、この実施の形態では、ＣＳＩ基準リソース内のＵＥ固有基準信号（例えば、ＤＭＲＳ）オーバヘッドは、１つ以上のパラメータ（例えば、ＣＳＩレポートセッティング（すなわち、ＬＴＥ用語におけるＣＳＩプロセス）の直近に報告されたランク、追加的なＤＭＲＳシンボルの数、ＤＭＲＳ設定タイプ、ＤＭＲＳパターン、無線デバイス４１２のために設定された予約リソース、ＣＳＩ基準リソース内のＯＦＤＭシンボルの数、及び／又は準静的に設定されたスロットフォーマット）と整合し、これは上述したとおりであり、これは、無線アクセスノード４０２に報告するためにＣＱＩインデクスを選択する際に無線デバイス４１２によって使用される。いくつかの実施の形態では、無線デバイス４１２はまた、上述したように、報告するＣＱＩインデクスを選択するときに、ＣＱＩインデクス値とＰＴＲＳ密度および／またはパターンとの間の関連付けを使用する。例えば、ＣＱＩインデクス導出手順は、ＣＳＩ基準リソースにおけるオーバヘッドを考慮することができ、このオーバヘッドは、ＵＥ固有基準信号およびＰＴＲＳを含む。ＵＥ固有基準信号（例えば、ＤＭＲＳ）によるオーバヘッドは上述したように、無線デバイス４１２によって決定可能である。さらに、いくつかの実施の形態では、ＣＳＩ基準リソースにおけるＰＴＲＳによるオーバヘッドは、上述のように、無線デバイス４１２によって決定され得る。
【００９６】
無線デバイス４１２は、導出されたＣＱＩインデクスを無線アクセスノード４０２に報告し、ここでも、ＣＱＩインデクスは、対応するＰＴＲＳ密度および／またはパターンに関連付けられる（ステップ７０４）。ＣＱＩインデクスとＰＴＲＳ密度および／またはパターンとの間の関連付けは、無線アクセスノード４０２によって知られているか、または決定することができる。このようにして、無線アクセスノード４０２および無線デバイス４１２は、ＣＳＩ基準リソースにおけるＰＴＲＳ密度および／またはパターンの共通の理解を有する。任意選択で、無線アクセスノード４０２は、１つまたは複数の動作タスク（たとえば、無線デバイス４１２へのダウンリンク許可のためのＭＣＳ選択）のために、報告されたＣＱＩインデクスと、潜在的に関連するＰＴＲＳパターンおよび／または密度とを利用する（ステップ７０６）。
【００９７】
ここで、本明細書に開示される実施の形態によるＣＱＩ決定のための例示的な方法を論じる。端末側では、ＣＱＩ決定のための方法は以下のうちの１つまたは複数を含む：
●ひとつのＭＣＳインデクスを選択する
●選択されたＭＣＳインデクスに従ってＰＴＲＳパターンおよび密度を取得する
●選択されたＭＣＳインデクスならびに決定されたＰＴＲＳパターンおよび密度が与えられた場合のＰＤＳＣＨパフォーマンスを決定する
●所与のパフォーマンスが充たされているか否かのＰＤＳＣＨパフォーマンスのチェックを行う
●結果をチェックする際、ＰＤＳＣＨパフォーマンスが所与のパフォーマンスを充たす場合、ＭＣＳインデクスは、さらなるＣＱＩ導出のための入力として選択され、そうでなければ、ＰＤＳＣＨパフォーマンスが所与のパフォーマンスを充たすまで上記のステップを繰り返す
●所与のパフォーマンスを充たす選択されたＭＣＳに基づいてＣＱＩを導出する
【００９８】
所与のパフォーマンスが充たされるか否かを判定するためにＰＤＳＣＨパフォーマンスをチェックすることを含むＣＧＩ決定方法について、それは、ＢＬＥＲパフォーマンスおよび／またはスペクトル効率パフォーマンスおよび／またはレイテンシ要件をチェックすることを含む。なお、パフォーマンスメトリックは、上記パフォーマンスに限定されるものではなく、他のパフォーマンスを用いてもよい。ＢＬＥＲターゲットは、上位レイヤシグナリングによって与えられるか、または特定のサービスのために事前定義されるか、または事前定義された規則に基づいて決定され得る。ＰＤＳＣＨのＢＬＥＲが所与のしきい値よりも小さい場合、ＢＬＥＲパフォーマンスが充たされると呼ぶことができる。スペクトル効率パフォーマンスについて、ＢＬＥＲまたはレイテンシ要件を充たし、最大スペクトル効率が達成されるとき、スペクトル効率と呼ぶべき要件が充たされる。
【００９９】
一実施形態として、所与のパフォーマンス要件を充たす選択されたＭＣＳに基づいてＣＱＩを導出することは、選択されたＭＣＳとして最も近い実際のスペクトル効率を有するＣＱＩ値を選択することを含む。実際のスペクトル効率は、バイトアラインメント、利用可能なＲＥ量子化の数、チャネル符号化サイズ適応などを考慮する。
【０１００】
他の実施の形態として、選択されたＭＣＳに基づいて、所与のパフォーマンス要件を充たすＣＱＩを導出することは、その
2021503733.tif 000041
がＣＱＩインデクスによって示される
2021503733.tif 000042
に最も近いＣＱＩ値を選択することを含み、
2021503733.tif 000043
はＭＣＳインデクスによって得られる。
【０１０１】
図８は、上述のＣＱＩインデクス導出手順の一例を示すフローチャートである。図示のとおり、無線デバイス４１２はＭＣＳインデクス
2021503733.tif 000044
を選択し（ステップ８００）、選択されたＭＣＳインデクス
2021503733.tif 000045
にしたがってＰＴＲＳ密度および／またはパターンを取得する（ステップ８０２）。本実施の形態では、ＭＣＳインデクス値とＰＴＲＳ密度および／またはパターンとの間に既知の関連性がある。これらの関連性は、予め定められてもよく（例えば、規格によって）、ネットワークによって設定されてもよく（例えば、ＲＲＣシグナリングを介して）、または予め定められた規則に基づいて無線デバイス４１２によって決定されてもよい。無線デバイス４１２は、選択されたＭＣＳインデクス
2021503733.tif 000046
および決定されたＰＴＲＳ密度および／またはパターンが与えられたときのＰＤＳＣＨパフォーマンスを決定する（ステップ８０４）。上述のとおり、ある実施の形態では、ＰＤＳＣＨパフォーマンスはＢＬＥＲおよび／またはスペクトル効率および／またはレイテンシを含む。しかしながら、ＰＤＳＣＨパフォーマンスはこれらのパフォーマンスメトリクスに限定されない。任意の適切なパフォーマンスメトリクスが用いられてもよい。
【０１０２】
無線デバイス４１２は、決定されたＰＤＳＣＨパフォーマンスが予め定められたまたは予め設定されたしきい値ＰＤＳＣＨパフォーマンスを充たすか否かを決定する（ステップ８０６）。もし充たさなければ、無線デバイス４１２は新たなＭＣＳインデクス
2021503733.tif 000047
を選択し（ステップ８０８）、プロセスはステップ８０２に戻る。選択されたＭＣＳインデクス
2021503733.tif 000048
およびその選択されたＭＣＳインデクス
2021503733.tif 000049
について決定されたＰＴＲＳ密度および／またはパターンが与えられたときのＰＤＳＣＨパフォーマンスがパフォーマンスしきい値を充たすと、無線デバイス４１２は、その特定の選択されたＭＣＳインデクス
2021503733.tif 000050
を、さらなるＣＱＩ導出のためのＭＣＳインデクスとして選択する（ステップ８１０）。無線デバイス４１２は次いで、選択されたＭＣＳインデクス
2021503733.tif 000051
に基づいて、ネットワークに報告されるべきＣＱＩインデクスを導出する（ステップ８１２）。図示されていないが、いくつかの実施の形態では、無線デバイス４１２は、導出されたＣＱＩインデクスをネットワーク（たとえば、無線アクセスノード４０２または低電力ノード４０６）に報告する。
【０１０３】
本明細書で開示されるいくつかの実施形態による無線アクセスノードおよび無線デバイスの例示的な実施形態が、ここで説明される。この点に関し、図９は、本開示のいくつかの実施の形態による無線アクセスノード９００の概略ブロック図である。無線アクセスノード９００は例えば、基地局４０２または低電力ノード４０６であってもよい。図示のように、無線アクセスノード９００は、１つまたは複数のプロセッサ９０４（たとえば、中央処理ユニット（ＣＰＵ）、特定用途向け集積回路（ＡＳＩＣ）、フィールドプログラマブルゲートアレイ（ＦＰＧＡ）など）、メモリ９０６、およびネットワークインターフェース９０８を含む制御システム９０２を含む。さらに、無線アクセスノード９００は、１つまたは複数のアンテナ９１６に結合された１つまたは複数の送信機９１２および１つまたは複数の受信機９１４をそれぞれ含む１つまたは複数の無線ユニット９１０を含む。いくつかの実施の形態では、無線ユニット９１０は、制御システム９０２の外部にあり、例えば、有線接続（例えば、光ケーブル）を介して制御システム９０２に接続される。しかしながら、いくつかの他の実施の形態では、無線ユニット９１０および潜在的にアンテナ９１６は制御システム９０２と一体化される。１つ以上のプロセッサ９０４は、本明細書に記載するように、無線アクセスノード９００の１つ以上の機能を提供するように動作する。ある実施の形態では、機能は例えばメモリ９０６に保持され、１つ以上のプロセッサ９０４によって実行されるソフトウエアで実現される。
【０１０４】
図１０は、本開示のいくつかの実施の形態による無線アクセスノード９００の仮想化された実施の形態を示す概略ブロック図である。この議論は、他のタイプのネットワークノードにも同様に適用可能である。さらに、他のタイプのネットワークノードは、同様の仮想化アーキテクチャを有することができる。
【０１０５】
本明細書で使用されるように、「仮想化」無線アクセスノードは、無線アクセスノード９００の機能性の少なくとも一部が仮想コンポーネントとして（例えば、ネットワーク内の物理処理ノード上で実行される仮想マシンを介して）実装される無線アクセスノード９００の実装である。図示のように、この例では、無線アクセスノード９００は、上述のように、１つまたは複数のプロセッサ９０４（たとえば、ＣＰＵ、ＡＳＩＣ、ＦＰＧＡなど）、メモリ９０６、ネットワークインタフェース９０８、および１つまたは複数の無線ユニット９１０を含む制御システム９０２を含み、無線ユニット９１０は、１つまたは複数のアンテナ９１６に結合された１つまたは複数の送信機９１２および１つまたは複数の受信機９１４をそれぞれ含む。制御システム９０２は、例えば光ケーブル等を介して無線ユニット９１０に接続されている。制御システム９０２は、ネットワーク１００２に結合されるか、またはその一部として含まれる１つ以上の処理ノード１０００に、ネットワークインタフェース９０８を介して接続される。各処理ノード１０００は、１つ以上のプロセッサ１００４（例えば、ＣＰＵ、ＡＳＩＣ、ＦＰＧＡ等）、メモリ１００６、およびネットワークインタフェース１００８を含む。
【０１０６】
この例では、本明細書に記載される無線アクセスノード９００の機能１０１０は、任意の所望の方法で、１つ以上の処理ノード１０００で実現されてもよく、または制御システム９０２および１つ以上の処理ノード１０００に分散されてもよい。いくつかの特定の実施の形態では、本明細書に記載される無線アクセスノード９００の機能１０１０の一部または全部は、処理ノード１０００によってホストされる仮想環境に実装される１つまたは複数の仮想マシンによって実行される仮想コンポーネントとして実装される。当業者には理解されるように、処理ノード１０００と制御システム９０２との間の追加のシグナリングまたは通信は、所望の機能１０１０の少なくともいくつかを実行するために使用される。特に、いくつかの実施の形態では、制御システム９０２は含まれなくてもよく、その場合、無線ユニット９１０は適切なネットワークインタフェースを介して処理ノード１０００と直接通信する。
【０１０７】
いくつかの実施の形態では、少なくとも１つのプロセッサによって実行されるとき、本明細書に記載されるいずれかの実施の形態にしたがって、仮想環境において、無線アクセスノード９００の１つ以上の機能１０１０を実装するノード（例えば、処理ノード１０００）または無線アクセスノード９００の機能を、少なくとも１つのプロセッサに実行させるインストラクションを含むコンピュータプログラムが提供される。いくつかの実施の形態では、前述のコンピュータプログラム製品を含む媒体が提供される。媒体は電気信号、光信号、無線信号、またはコンピュータ可読記憶媒体（例えば、メモリなどの非一時的なコンピュータ可読媒体）のうちの１つである。
【０１０８】
図１１は、本開示の他の実施の形態による無線アクセスノード９００の概略ブロック図である。無線アクセスノード９００は１つ以上のモジュール１１００を含み、それぞれがソフトウェアで実現される。モジュール１１００は、本明細書に記載する無線アクセスノード９００の機能性を提供する。この説明は、図１０の処理ノード１０００にも同様に適用可能であり、モジュール１１００は、処理ノード１０００のうちの１つに実装されてもよく、複数の処理ノード１０００にわたって分散されてもよく、および／または処理ノード１０００および制御システム９０２にわたって分散されてもよい。
【０１０９】
図１２は、本開示のいくつかの実施の形態によるＵＥ１２００の概略ブロック図である。図示のように、ＵＥ１２００は、１つまたは複数のプロセッサ１２０２（たとえば、ＣＰＵ、ＡＳＩＣ、ＦＰＧＡなど）、メモリ１２０４、および１つまたは複数のトランシーバ１２０６を含み、トランシーバのそれぞれは、１つまたは複数のアンテナ１２１２に結合された１つまたは複数の送信機１２０８および１つまたは複数の受信機１２１０を含む。いくつかの実施の形態では、上述したＵＥ１２００の機能は、例えば、メモリ１２０４に格納され、プロセッサ１２０２によって実行されるソフトウェアにおいて、完全にまたは部分的に実装され得る。
【０１１０】
いくつかの実施の形態では、少なくとも１つのプロセッサによって実行されるとき、本明細書で説明される実施の形態のうちのいずれかに従って、少なくとも１つのプロセッサに、ＵＥ１２００の機能を実行させるインストラクションを含むコンピュータプログラムが提供される。いくつかの実施の形態では、前述のコンピュータプログラム製品を含む媒体が提供される。媒体は電気信号、光信号、無線信号、またはコンピュータ可読記憶媒体（例えば、メモリなどの非一時的なコンピュータ可読媒体）のうちの１つである。
【０１１１】
図１３は、本開示のいくつかの他の実施の形態によるＵＥ１２００の概略ブロック図である。ＵＥ１２００は１つ以上のモジュール１３００を含み、それぞれがソフトウェアで実現される。モジュール１３００は、本明細書に記載するＵＥ１２００の機能性を提供する。
【０１１２】
図１４を参照すると、一実施形態によれば、通信システムは、無線アクセスネットワーク（ＲＡＮ）などのアクセスネットワーク１４０２と、コアネットワーク１４０４と、を備える、３ＧＰＰタイプのセルラネットワークなどの電気通信ネットワーク１４００を含む。アクセスネットワーク１４０２は、ＮＢ、ｅＮＢ、ｇＮＢ、または他のタイプの無線アクセスポイント（ＡＰ）などの複数の基地局１４０６Ａ、１４０６Ｂ、１４０６Ｃを備え、それぞれは対応するカバレッジエリア１４０８Ａ、１４０８Ｂ、１４０８Ｃを定義する。各基地局１４０６Ａ、１４０６Ｂ、１４０６Ｃは、有線または無線接続１４１０を介してコアネットワーク１４０４に接続可能である。カバレッジ領域１４０８Ｃに位置する第１ＵＥ１４１２は、対応する基地局１４０６Ｃに無線接続するか、またはそれによってページングされるように構成される。カバレッジエリア１４０８Ａ内の第２ＵＥ１４１４は、対応する基地局１４０６Ａに無線で接続可能である。この例では複数のＵＥ１４１２、１４１４が示されているが、開示された実施形態は単一のＵＥがカバレッジエリア内にある状況、または単一のＵＥが対応する基地局１４０６に接続している状況にも等しく適用可能である。
【０１１３】
通信ネットワーク１４００はそれ自体がホストコンピュータ１４１６に接続され、それはスタンドアロンサーバ、クラウド実装サーバ、分散サーバのハードウェアおよび／またはソフトウェア、またはサーバファーム内の処理資源として具体化され得る。ホストコンピュータ１４１６は、サービスプロバイダの所有権または制御下にあってもよく、またはサービスプロバイダによって、またはサービスプロバイダを代理して操作されてもよい。電気通信ネットワーク１４００とホストコンピュータ１４１６との間の接続１４１８、１４２０は、コアネットワーク１４０４からホストコンピュータ１４１６に直接延在することができ、または任意選択の中間ネットワーク１４２２を介して進むことができる。中間ネットワーク１４２２は公衆ネットワーク、プライベートネットワーク、またはホストネットワークのうちの１つ、または２つ以上の組み合わせとすることができ、中間ネットワーク１４２２はもしあれば、バックボーンネットワークまたはインターネットとすることができ、特に、中間ネットワーク１４２２は、２つ以上のサブネットワーク（図示せず）を含むことができる。
【０１１４】
図１４の通信システム全体は、接続されたＵＥ１４１２、１４１４とホストコンピュータ１４１６との間の接続を可能にする。接続は、オーバザトップ（ＯＴＴ）接続１４２４として説明することができる。ホストコンピュータ１４１６および接続されたＵＥ１４１２、１４１４は、アクセスネットワーク１４０２、コアネットワーク１４０４、いずれかの中間ネットワーク１４２２、および可能なさらなるインフラストラクチャ（図示せず）を媒介として使用して、ＯＴＴ接続１４２４を介してデータおよび／またはシグナリングを通信するように構成される。ＯＴＴ接続１４２４は、ＯＴＴ接続１４２４が通過する参加通信デバイスがアップリンク通信およびダウンリンク通信のルーティングを知らないという意味で、トランスペアレントであり得る。例えば、基地局１４０６は、接続されたＵＥ１４１２に転送される（例えば、ハンドオーバされる）、ホストコンピュータ１４１６から発信されるデータを伴う着信ダウンリンク通信の過去のルーティングについて通知されなくてもよく、または通知される必要がなくてもよい。同様に、基地局１４０６は、ＵＥ１４１２からホストコンピュータ１４１６に向けて発せられる発信アップリンク通信の将来のルーティングを認識する必要はない。
【０１１５】
先の段落で論じたＵＥ、基地局、およびホストコンピュータの、一実施形態による、例示的な実装形態を、図１５を参照して次に説明する。通信システム１５００では、ホストコンピュータ１５０２は、通信システム１５００の異なる通信デバイスのインタフェースとの有線または無線接続をセットアップおよび維持するように構成された通信インタフェース１５０６を含むハードウェア１５０４を備える。ホストコンピュータ１５０２は、ストレージおよび／または処理能力を有することができる処理回路１５０８をさらに備える。特に、処理回路１５０８は、１つまたは複数のプログラマブルプロセッサ、ＡＳＩＣ、ＦＰＧＡ、またはインストラクションを実行するように適合されたこれらの組合せ（図示せず）を備えることができる。ホストコンピュータ１５０２は、ホストコンピュータ１５０２に格納されるか、またはホストコンピュータ２０１０によってアクセス可能であり、処理回路１５０８によって実行可能なソフトウェア１５１０をさらに備える。ソフトウェア１５１０は、ホストアプリケーション１５１２を含む。ホストアプリケーション１５１２は、ＵＥ１５１４およびホストコンピュータ１５０２で終端するＯＴＴ接続１５１６を介して接続するＵＥ１５１４などのリモートユーザにサービスを提供するように動作可能であってもよい。リモートユーザにサービスを提供する際に、ホストアプリケーション１５１２は、ＯＴＴ接続１５１６を使用して送信されるユーザデータを提供することができる。
【０１１６】
通信システム１５００は、通信システム内に設けられ、ホストコンピュータ１５０２およびＵＥ１５１４と通信することを可能にするハードウェア１５２０を備える基地局１５１８をさらに含む。ハードウェア１５２０は、通信システム１５００の異なる通信デバイスのインタフェースとの有線または無線接続をセットアップおよび維持するための通信インタフェース１５２２と、基地局１５１８によって担当されるカバレッジエリア（図１５には示されていない）内に位置するＵＥ１５１４との少なくとも無線接続１５２６をセットアップおよび維持するための無線インタフェース１５２４とを含み得る。通信インタフェース１５２２は、ホストコンピュータ１５０２への接続１５２８を容易にするように構成することができる。接続１５２８は、直接的であってもよく、電気通信システムのコアネットワーク（図１５には示されていない）を通過してもよく、および／または電気通信システムの外部の１つ以上の中間ネットワークを通過してもよい。図示の実施形態では、基地局１５１８のハードウェア１５２０はさらに、インストラクションを実行するように構成された１つ以上のプログラマブルプロセッサ、ＡＳＩＣ、ＦＰＧＡまたはこれらの組み合わせ（図示せず）を含んでもよい処理回路１５３０をさらに含む。基地局１５１８はさらに、内部に格納された、または外部接続を介してアクセス可能なソフトウェア１５３２を有する。
【０１１７】
通信システム１５００は、既に参照したＵＥ１５１４をさらに含む。そのハードウェア１５３４は、ＵＥ１５１４が現在位置するカバレッジエリアを担当する基地局との無線接続１５２６をセットアップし、維持するように構成された無線インタフェース１５３６を含み得る。ＵＥ１５１４のハードウェア１５３４はさらに、インストラクションを実行するように構成された１つ以上のプログラマブルプロセッサ、ＡＳＩＣ、ＦＰＧＡまたはこれらの組み合わせ（図示せず）を含んでもよい処理回路１５３８をさらに含む。ＵＥ１５１４は、ＵＥ１５１４に格納されるか、またはＵＥ１５１４によってアクセス可能であり、処理回路１５３８によって実行可能なソフトウェア１５４０をさらに備える。ソフトウェア１５４０は、クライアントアプリケーション１５４２を含む。クライアントアプリケーション１５４２は、ホストコンピュータ１５０２の支援により、ＵＥ１５１４を介して人間または非人間のユーザにサービスを提供するように動作可能であってもよい。ホストコンピュータ１５０２では、実行中のホストアプリケーション１５１２は、ＵＥ１５１４およびホストコンピュータ１５０２で終端するＯＴＴ接続１５１６を介して実行中のクライアントアプリケーション１５４２と通信することができる。ユーザにサービスを提供する際に、クライアントアプリケーション１５４２はホストアプリケーション１５１２から要求データを受信し、要求データに応答してユーザデータを提供することができる。ＯＴＴ接続１５１６は、要求データとユーザデータの両方を転送することができる。クライアントアプリケーション１５４２は、ユーザと対話して、それが提供するユーザデータを生成することができる。
【０１１８】
図１５に示されるホストコンピュータ１５０２、基地局１５１８、およびＵＥ１５１４は、それぞれ、図１４の、ホストコンピュータ１４１６、基地局１４０６Ａ、１４０６Ｂ、１４０６Ｃのうちの１つ、およびＵＥ１４１２、１４１４のうちの１つと同一であり得ることに留意されたい。すなわち、これらのエンティティの内部動作は図１５に示されるようなものであってもよく、独立して、周囲のネットワークトポロジは図１４のものであってもよい。
【０１１９】
図１５ではＯＴＴ接続１５１６を抽象的に描くことで、ホストコンピュータ１５０２とＵＥ１５１４との間の基地局１５１８を介した通信を説明しており、これはいかなる中間デバイスも明示的に参照しておりおらず、これらのデバイスを介したメッセージの正確なルーティングも示していない。ネットワークインフラストラクチャはＵＥ１５１４から、またはホストコンピュータ１５０２を操作するサービスプロバイダから、またはその両方から隠すように構成され得るルーティングを決定し得る。ＯＴＴ接続１５１６がアクティブである間、ネットワークインフラストラクチャは（例えば、負荷分散の考慮またはネットワークの再構成に基づいて）ルーティングを動的に変更する決定をさらに行うことができる。
【０１２０】
ＵＥ１５１４と基地局１５１８との間の無線接続１５２６は、本開示全体にわたって説明される実施形態の教示に従う。様々な実施形態のうちの１つまたは複数は、無線接続１５２６が最後のセグメントを形成するＯＴＴ接続１５１６を使用して、ＵＥ  １５１４に提供されるＯＴＴサービスの性能を改善する。より正確には、これらの実施の形態の教示は、データレート、レイテンシ、および／または電力消費を改善し、それにより、ユーザ待機時間の低減、ファイルサイズに対する制限の緩和、応答性の向上、および／または電池のもちの延長などの利点を提供することができる。
【０１２１】
１つまたは複数の実施形態が改善するデータレート、待ち時間、および他の要因を監視する目的で、測定手順を提供することができる。さらに、測定結果の変動に応答して、ホストコンピュータ１５０２とＵＥ１５１４との間のＯＴＴ接続１５１６を再構成するためのオプションのネットワーク機能があってもよい。測定手順および／またはＯＴＴ接続１５１６を再構成するためのネットワーク機能は、ホストコンピュータ１５０２のソフトウェア１５１０およびハードウエア１５０４、またはＵＥ１５１４のソフトウェア１５４０およびハードウエア１５３４、またはその両方において実装され得る。ある実施の形態では、センサ（図示せず）は、ＯＴＴ接続１５１６が通過する通信デバイスに配備されるか、またはそれに関連して配備されてもよく、センサは上で例示された監視量の値を供給することによって、または他の物理量の値を供給することによって、測定手順に参加することができ、ソフトウェア１５１０、１５４０は他の物理量から監視量を計算または推定することができる。ＯＴＴ接続１５１６の再構成はメッセージフォーマット、再送信設定、好ましいルーティングなどを含むことができ、再構成は、基地局１５１８に影響を及ぼす必要はなく、基地局１５１８には知られていないか、または知覚できないことがある。このような手順および機能は当技術分野で公知であり、実装可能である。ある実施の形態では、測定は、スループット、伝搬時間、待ち時間などのホストコンピュータ１５０２の測定を容易にする独自のＵＥシグナリングを含むことができる。測定は、ソフトウェア１５１０、１５４０が伝搬時間、エラーなどを監視しながら、ＯＴＴ接続１５１６を使用して、メッセージ、特に空または「ダミー」メッセージ、が送信されるようにすることによって実施することができる。
【０１２２】
図１６は、一実施形態による、通信システムにおいて実施される方法を示すフローチャートである。通信システムは、ホストコンピュータ、基地局、およびＵＥを含み、これらは図１４および図１５を参照して説明したものであってもよい。本開示を簡単にするために、図１６に対する図面参照のみがこのセクションに含まれる。ステップ１６００において、ホストコンピュータはユーザデータを提供する。ステップ１６００の（任意選択であってもよい）サブステップ１６０２において、ホストコンピュータは、ホストアプリケーションを実行することによってユーザデータを提供する。ステップ１６０４において、ホストコンピュータは、ＵＥに対するユーザデータを搬送する送信を開始する。（任意選択の）ステップ１６０６において、基地局は、本開示全体にわたって説明される実施形態の教示に従って、ホストコンピュータが開始した送信において搬送されたユーザデータをＵＥに送信する。（任意選択の）ステップ１６０８において、ＵＥは、ホストコンピュータによって実行されるホストアプリケーションに関連するクライアントアプリケーションを実行する。
【０１２３】
図１７は、一実施形態による、通信システムにおいて実施される方法を示すフローチャートである。通信システムは、ホストコンピュータ、基地局、およびＵＥを含み、これらは図１４および図１５を参照して説明したものであってもよい。本開示を簡単にするために、図１７に対する図面参照のみがこのセクションに含まれる。本方法のステップ１７００において、ホストコンピュータはユーザデータを提供する。任意選択のサブ動作（図示せず）では、ホストコンピュータがホストアプリケーションを実行することによってユーザデータを提供する。ステップ１７０２において、ホストコンピュータは、ＵＥに対するユーザデータを搬送する送信を開始する。送信は、本開示全体にわたって説明される実施形態の教示に従って、基地局を介して渡され得る。（任意選択の）ステップ１７０４において、ＵＥは、送信において搬送されたユーザデータを受信する。
【０１２４】
図１８は、一実施形態による、通信システムにおいて実施される方法を示すフローチャートである。通信システムは、ホストコンピュータ、基地局、およびＵＥを含み、これらは図１４および図１５を参照して説明したものであってもよい。本開示を簡単にするために、図１８に対する図面参照のみがこのセクションに含まれる。（任意選択の）ステップ１８００において、ＵＥは、ホストコンピュータによって提供される入力データを受信する。追加的にまたは代替的に、ステップ１８０２において、ＵＥは、ユーザデータを提供する。ステップ１８００の（任意選択であってもよい）サブステップ１８０４において、ＵＥは、クライアントアプリケーションを実行することによってユーザデータを提供する。ステップ１８０２の（任意選択であってもよい）サブステップ１８０６において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、（任意選択であってもよい）サブステップ１８０８において、ホストコンピュータへのユーザデータの送信を開始する。本方法のステップ１８１０において、ホストコンピュータは、本開示全体にわたって説明される実施形態の教示に従って、ＵＥから送信されたユーザデータを受信する。
【０１２５】
図１９は、一実施形態による、通信システムにおいて実施される方法を示すフローチャートである。通信システムは、ホストコンピュータ、基地局、およびＵＥを含み、これらは図１４および図１５を参照して説明したものであってもよい。本開示を簡単にするために、図１９に対する図面参照のみがこのセクションに含まれる。（任意選択の）ステップ１９００で、本開示全体にわたって説明される実施形態の教示に従って、基地局はＵＥからユーザデータを受信する。（任意選択の）ステップ１９０２で、基地局は、受信したユーザデータのホストコンピュータへの送信を開始する。（任意選択の）ステップ１９０４で、ホストコンピュータは、基地局によって開始された送信において搬送されたユーザデータを受信する。
【０１２６】
本明細書で開示される任意の適切なステップ、方法、特徴、機能、または利益は、１つまたは複数の仮想装置の１つまたは複数の機能ユニットまたはモジュールを介して実行され得る。各仮想装置は、いくつかのこれらの機能ユニットを備えることができる。これらの機能ユニットは、１つまたは複数のマイクロプロセッサまたはマイクロコントローラを含むことができる処理回路、ならびにデジタル信号プロセッサ（ＤＳＰ）、専用デジタル論理などを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つまたは複数のタイプのメモリを含むことができるメモリ、に格納されたプログラムコードを実行するように構成することができる。メモリに格納されたプログラムコードは、１つまたは複数の電気通信および／またはデータ通信プロトコルを実行するためのプログラムインストラクション、ならびに本明細書で説明される技法のうちの１つまたは複数を実行するためのインストラクションを含む。幾つかの実装形態では、処理回路は、それぞれの機能ユニットに、本開示の１つ以上の実施の形態に従って対応する機能を行わせるために使用されてもよい。
【０１２７】
図面のプロセスは本開示の所定の実施の形態によって行われる動作の特定の順番を示しているが、そのような順番は例示であること（例えば、代替的な実施の形態は、異なる順番で動作を行ったり、所定の動作を組み合わせたり、所定の動作を重ねたりしてもよい）を理解されたい。
【０１２８】
それらに限定されるわけではないが、本開示のいくつかの例示的な実施の形態が以下に提供される。
実施の形態１：無線通信システムにおけるＣＱＩインデクス報告のための、無線デバイスによって行われる方法であって、方法は以下を含む：
●ＣＳＩ基準リソースについてネットワークノードに報告されるべきＣＱＩインデクスを導出することであって、前記ＣＱＩインデクスは前記ＣＳＩ基準リソース内のＰＴＲＳ密度および／またはパターンに関連付けられる、導出することと、
●前記ＣＱＩインデクスを前記ネットワークノードに報告すること。
実施の形態２：前記ＣＱＩインデクスは、設定（例えば、ＲＲＣ設定）を介して、前記ＰＴＲＳ密度および／またはパターンに関連付けられる実施の形態１に記載の方法。
実施の形態３：前記ＣＱＩインデクスは、所与の関連付け（例えば、規格）を介して、前記ＰＴＲＳ密度および／またはパターンに関連付けられる実施の形態１に記載の方法。
実施の形態４：前記ＣＱＩインデクスは、所与の規則を介して、前記ＰＴＲＳ密度および／またはパターンに関連付けられる実施の形態１に記載の方法。
実施の形態５：報告されるべき前記ＣＱＩインデクスを導出することは、報告されるべき前記ＣＱＩインデクスを、前記ＣＱＩインデクスに関連付けられた前記ＰＴＲＳ密度および／またはパターンに基づいて導出することを含む実施の形態１から４のいずれか一項に記載の方法。
実施の形態６：報告されるべき前記ＣＱＩインデクスを導出することは、報告されるべき前記ＣＱＩインデクスを、複数のＣＱＩインデクスに関連付けられた複数のＰＴＲＳ密度および／またはパターンに基づいて導出することを含む実施の形態１から４のいずれか一項に記載の方法。
実施の形態７：前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる実施の形態１から６のいずれか一項に記載の方法。
実施の形態８：無線通信システムにおけるＣＱＩインデクス報告のための、無線デバイスによって行われる方法であって、方法は以下を含む：
●ＣＳＩ基準リソースについてネットワークノードに報告されるべきＣＱＩインデクスを導出することであって、前記ＣＳＩ基準リソースにおける無線デバイス特有基準信号オーバヘッドはひとつ以上のパラメータと合致する、導出することと、
●前記ＣＱＩインデクスを前記ネットワークノードに報告すること。
実施の形態９：前記ＣＳＩ基準リソースにおける前記無線デバイス特有基準信号オーバヘッドはは以下と合致する実施の形態８に記載の方法：
●直近に報告された対応するＣＳＩプロセスのランク
●追加的なＤＭＲＳシンボルの数
●ＤＭＲＳパターン
●前記無線デバイス用に設定された予約リソース
●前記ＣＳＩ基準リソースにおけるＯＦＤＭシンボルの数
●準静的に設定されたスロットフォーマット
実施の形態１０：前記ＣＱＩインデクスは、前記ＣＳＩ基準リソース内のＰＴＲＳ密度および／またはパターンに関連付けられる実施の形態８または９に記載の方法。
実施の形態１１：前記ＣＱＩインデクスは、設定（例えば、ＲＲＣ設定）を介して、前記ＰＴＲＳ密度および／またはパターンに関連付けられる実施の形態１０に記載の方法。
実施の形態１２：前記ＣＱＩインデクスは、所与の関連付け（例えば、規格）を介して、前記ＰＴＲＳ密度および／またはパターンに関連付けられる実施の形態１０に記載の方法。
実施の形態１３：前記ＣＱＩインデクスは、所与の規則を介して、前記ＰＴＲＳ密度および／またはパターンに関連付けられる実施の形態１０に記載の方法。
実施の形態１４：報告されるべき前記ＣＱＩインデクスを導出することは、報告されるべき前記ＣＱＩインデクスを、以下に基づいて導出することを含む実施の形態８から１３のいずれか一項に記載の方法：
●前記ＣＳＩ基準リソースにおける前記無線デバイス特有基準信号オーバヘッド、
●前記ＣＳＩ基準リソースにおけるＰＴＲＳオーバヘッドであって、前記ＣＳＩ基準リソースにおける前記ＰＴＲＳオーバヘッドはＣＱＩインデクスが異なると、そのような異なるＣＱＩインデクスに関連付けられたＰＴＲＳ密度および／またはパターンにしたがって変化する、ＰＴＲＳオーバヘッド。
実施の形態１５：前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる実施の形態８から１４のいずれか一項に記載の方法。
実施の形態１６：無線デバイスによって行われる方法であって、該方法は、無線通信システムにおいて前記無線デバイスによって報告されるべきＣＱＩインデクスを導出するためのものであり、前記方法は以下を含む：
●ＭＣＳインデクスを選択することと、
●前記ＭＣＳインデクスにしたがってＰＴＲＳパターンおよび／または密度を取得することと、
●前記ＭＣＳインデクスおよび前記ＰＴＲＳ密度および／またはパターンが与えられたときの物理ダウンリンクチャネル性能を決定することと、
●前記物理ダウンリンクチャネル性能が予め定義されたまたは予め設定された性能しきい値を充たすか否かを判定することと、
●決定された前記物理ダウンリンクチャネル性能が前記予め定義されたまたは予め設定された性能しきい値を充たす場合、
●前記ＭＣＳインデクスを、さらなるＣＱＩインデクス導出のためのＭＣＳインデクスとして選択することと、
●前記無線デバイスによって報告されるべきＣＱＩインデクスを、さらなるＣＱＩインデクス導出のために選択された前記ＭＣＳインデクスに基づいて、導出すること。
実施の形態１７：決定された前記物理ダウンリンクチャネル性能が前記予め定義されたまたは予め設定された性能しきい値を充たさない場合、以下をさらに含む実施の形態１６に記載の方法：
●第２ＭＣＳインデクスを選択することと、
●前記第２ＭＣＳインデクスにしたがって第２ＰＴＲＳパターンおよび／または密度を取得することと、
●前記第２ＭＣＳインデクスおよび前記第２ＰＴＲＳ密度および／またはパターンが与えられたときの第２物理ダウンリンクチャネル性能を決定することと、
●前記第２物理ダウンリンクチャネル性能が前記予め定義されたまたは予め設定された性能しきい値を充たすか否かを判定することと、
●前記第２物理ダウンリンクチャネル性能が前記予め定義されたまたは予め設定された性能しきい値を充たす場合、
●前記第２ＭＣＳインデクスを、さらなるＣＱＩインデクス導出のための前記ＭＣＳインデクスとして選択することと、
●前記無線デバイスによって報告されるべきＣＱＩインデクスを、さらなるＣＱＩインデクス導出のために選択された前記ＭＣＳインデクスに基づいて、導出すること。
実施の形態１８：以下をさらに含む上記実施の形態のいずれか一項に記載の方法。
●ユーザデータを提供することと、
●前記無線アクセスノードへの送信を介して、ホストコンピュータに、前記ユーザデータを転送すること。
実施の形態１９：無線通信システムにおけるＣＱＩインデクス報告のための、無線アクセスノードによって行われる方法であって、方法は以下を含む：
●ＣＳＩ基準リソースについて無線デバイスから報告されたＣＱＩインデクスを受信することであって、報告された前記ＣＱＩインデクスは前記ＣＳＩ基準リソース内のＰＴＲＳ密度および／またはパターンに関連付けられる、受信すること。
実施の形態２０：報告された前記ＣＱＩインデクスは、設定（例えば、ＲＲＣ設定）を介して、前記ＰＴＲＳ密度および／またはパターンに関連付けられる実施の形態１９に記載の方法。
実施の形態２１：報告された前記ＣＱＩインデクスは、所与の関連付け（例えば、規格）を介して、前記ＰＴＲＳ密度および／またはパターンに関連付けられる実施の形態１９に記載の方法。
実施の形態２２：報告された前記ＣＱＩインデクスは、所与の規則を介して、前記ＰＴＲＳ密度および／またはパターンに関連付けられる実施の形態１９に記載の方法。
実施の形態２３：報告された前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる実施の形態１９から２２のいずれか一項に記載の方法。
実施の形態２４：無線通信システムにおけるＣＱＩインデクス報告のための、無線アクセスノードによって行われる方法であって、方法は以下を含む：
ＣＳＩ基準リソースについて無線デバイスから報告されたＣＱＩインデクスを受信することであって、前記ＣＳＩ基準リソースにおける無線デバイス特有基準信号オーバヘッドはひとつ以上のパラメータと合致する、受信することと、
実施の形態２５：前記ＣＳＩ基準リソースにおける前記無線デバイス特有基準信号オーバヘッドはは以下と合致する実施の形態２４に記載の方法：
●直近に報告された対応するＣＳＩプロセスのランク
●追加的なＤＭＲＳシンボルの数
●ＤＭＲＳパターン
●前記無線デバイス用に設定された予約リソース
●前記ＣＳＩ基準リソースにおけるＯＦＤＭシンボルの数
●準静的に設定されたスロットフォーマット。
実施の形態２６：報告された前記ＣＱＩインデクスは、前記ＣＳＩ基準リソース内のＰＴＲＳ密度および／またはパターンに関連付けられる実施の形態２４または２５に記載の方法。
実施の形態２７：報告された前記ＣＱＩインデクスは、設定（例えば、ＲＲＣ設定）を介して、前記ＰＴＲＳ密度および／またはパターンに関連付けられる実施の形態２６に記載の方法。
実施の形態２８：報告された前記ＣＱＩインデクスは、所与の関連付け（例えば、規格）を介して、前記ＰＴＲＳ密度および／またはパターンに関連付けられる実施の形態２６に記載の方法。
実施の形態２９：報告された前記ＣＱＩインデクスは、所与の規則を介して、前記ＰＴＲＳ密度および／またはパターンに関連付けられる実施の形態２６に記載の方法。
実施の形態３０：報告された前記ＣＱＩインデクスは複数のＣＱＩインデクスのうちのひとつであり、前記複数のＣＱＩインデクスのうちの少なくともふたつのＣＱＩインデクスは異なるＰＴＲＳ密度および／またはパターンに関連付けられる実施の形態２４から２９のいずれか一項に記載の方法。
実施の形態３１：以下をさらに含む上記実施の形態のいずれか一項に記載の方法。
●ユーザデータを取得することと、
●前記ユーザデータをホストコンピュータまたは前記無線デバイスに転送すること。
実施の形態３２：無線通信システムの無線デバイスであって、前記無線デバイスは以下を備える：
●少なくともひとつの送信器と少なくともひとつの受信器とを備える無線インタフェースと、
●実施の形態１から１８のいずれか一項に記載のステップのいずれかひとつを行うよう構成された処理回路。
実施の形態３３：無線通信システムにおける無線アクセスノードであって、前記無線アクセスノードは以下を備える：
●少なくともひとつの送信器と少なくともひとつの受信器とを備えるネットワークインタフェースおよび／または無線インタフェースと、
●実施の形態１９から３１のいずれか一項に記載のステップのいずれかひとつを行うよう構成された処理回路。
実施の形態３４：無線通信システムの無線デバイスであって、前記無線デバイスは以下を備える：
●無線信号を送受信するよう構成されたアンテナと、
●前記アンテナおよび処理回路に接続された無線フロントエンド回路であって、前記アンテナと前記処理回路との間でやりとりされる信号を調整するよう構成された無線フロントエンド回路と、
●実施の形態１から１８のいずれか一項に記載のステップのいずれかひとつを行うよう構成された処理回路と、
●前記処理回路に接続された入力インタフェースであって、前記無線デバイスに入力される情報が前記処理回路によって処理されることを可能とする入力インタフェースと、
●前記処理回路に接続された出力インタフェースであって、前記処理回路によって処理された情報を前記無線デバイスから出力するよう構成された出力インタフェースと、
●前記処理回路に接続され、前記無線デバイスに電力を供給するよう構成されたバッテリと。
実施の形態３５：以下を備えるホストコンピュータを含む通信システム。
●ユーザデータを提供するよう構成された処理回路と、
●無線デバイスへの送信のために、前記ユーザデータをセルラネットワークに転送するよう構成された通信インタフェースと、
●ここで、前記セルラネットワークが、無線インタフェースと処理回路とを有する無線アクセスノードを備え、前記無線アクセスノードの処理回路が、実施の形態１９から３１のいずれか一項に記載のステップのいずれかひとつを行うよう構成される。
実施の形態３６：前記無線アクセスノードをさらに含む実施の形態１から３５のいずれか一項に記載の通信システム。
実施の形態３７：前記無線デバイスをさらに含み、前記無線デバイスが前記無線アクセスノードと通信するよう構成される実施の形態３５または３６に記載の通信システム。
実施の形態３８：以下のとおりである上記三つの実施の形態のいずれか一項に記載の通信システム。
●前記ホストコンピュータの前記処理回路がホストアプリケーションを実行するよう構成され、それにより、前記ユーザデータを提供し、
●前記無線デバイスが、前記ホストアプリケーションに関連付けられたクライアントアプリケーションを実行するよう構成された処理回路を備える。
実施の形態３９：ホストコンピュータ、無線アクセスノード、および無線デバイスを含む通信システムにおいて実施される方法であって、当該方法は以下を含む。
●前記ホストコンピュータにおいて、ユーザデータを提供することと、
●前記ホストコンピュータにおいて、前記無線アクセスノードを含むセルラネットワークを介して前記ユーザデータを前記無線デバイスに運ぶ送信を開始することと、ここで、前記無線アクセスノードが、実施の形態１９から３１のいずれか一項に記載のステップのいずれかひとつを実行する。
実施の形態４０：前記無線アクセスノードにおいて、前記ユーザデータを送信することをさらに含む実施の形態３９に記載の方法。
実施の形態４１：前記ユーザデータは、ホストアプリケーションを実行することによって前記ホストコンピュータにおいて提供され、前記方法はさらに、前記無線デバイスにおいて、前記ホストアプリケーションに関連付けられたクライアントアプリケーションを実行することを含む実施の形態３９または４０に記載の方法。
実施の形態４２：無線アクセスノードと通信するよう構成された無線デバイスであって、前記無線デバイスが無線インタフェースと、上記三つの実施の形態のいずれか一項に記載の方法を実行するよう構成された処理回路と、を備える無線デバイス。
実施の形態４３：以下を備えるホストコンピュータを含む通信システム。
●ユーザデータを提供するよう構成された処理回路と、
●無線デバイスへの送信のために、前記ユーザデータをセルラネットワークに転送するよう構成された通信インタフェースと、
●ここで、前記無線デバイスが、無線インタフェースと処理回路とを備え、前記無線デバイスのコンポーネントが、実施の形態１から１８のいずれか一項に記載のステップのいずれかひとつを行うよう構成される。
実施の形態４４：前記セルラネットワークはさらに、前記無線デバイスと通信するよう構成された無線アクセスノードを含む上記の実施の形態に記載の通信システム。
実施の形態４５：以下のとおりである上記二つの実施の形態に記載の通信システム。
●前記ホストコンピュータの前記処理回路がホストアプリケーションを実行するよう構成され、それにより、前記ユーザデータを提供し、
●前記無線デバイスの処理回路が、前記ホストアプリケーションに関連付けられたクライアントアプリケーションを実行するよう構成される。
実施の形態４６：ホストコンピュータ、無線アクセスノード、および無線デバイスを含む通信システムにおいて実施される方法であって、当該方法は以下を含む。
●前記ホストコンピュータにおいて、ユーザデータを提供することと、
●前記ホストコンピュータにおいて、前記無線アクセスノードを含むセルラネットワークを介して前記ユーザデータを前記無線デバイスに運ぶ送信を開始することと、ここで、前記無線デバイスが、実施の形態１から１８のいずれか一項に記載のステップのいずれかひとつを実行する。
実施の形態４７：前記無線デバイスにおいて、前記無線アクセスノードからの前記ユーザデータを受信することをさらに含む上記の実施の形態に記載の方法。
実施の形態４８：以下を備えるホストコンピュータを含む通信システム。
●無線デバイスから無線アクセスノードへの送信に由来するユーザデータを受信するよう構成された通信インタフェースと、
●ここで、前記無線デバイスが、無線インタフェースと処理回路とを備え、前記無線デバイスの処理回路が、実施の形態１から１８のいずれか一項に記載のステップのいずれかひとつを行うよう構成される。
実施の形態４９：前記無線デバイスをさらに含む上記の実施の形態に記載の通信システム。
実施の形態５０：前記無線アクセスノードをさらに備え、前記無線アクセスノードは、前記無線デバイスと通信するよう構成された無線インタフェースと、前記無線デバイスから前記無線アクセスノードへの送信によって運ばれる前記ユーザデータを前記ホストコンピュータに転送するよう構成された通信インタフェースと、を備える上記二つの実施の形態のいずれかに記載の通信システム。
実施の形態５１：以下のとおりである上記三つの実施の形態のいずれか一項に記載の通信システム。
●前記ホストコンピュータの前記処理回路がホストアプリケーションを実行するよう構成され、
●前記無線デバイスの処理回路が、前記ホストアプリケーションに関連付けられたクライアントアプリケーションを実行するよう構成され、それにより前記ユーザデータを提供する。
実施の形態５２：以下のとおりである上記四つの実施の形態のいずれか一項に記載の通信システム。
●前記ホストコンピュータの前記処理回路がホストアプリケーションを実行するよう構成され、それにより、前記要求データを提供し、
●前記無線デバイスの処理回路が、前記ホストアプリケーションに関連付けられたクライアントアプリケーションを実行するよう構成され、それにより前記要求データに応じて前記ユーザデータを提供する。
実施の形態５３：ホストコンピュータ、無線アクセスノード、および無線デバイスを含む通信システムにおいて実施される方法であって、当該方法は以下を含む。
●前記ホストコンピュータにおいて、前記無線デバイスから前記無線アクセスノードに送信されたユーザデータを受信することと、ここで、前記無線デバイスがグループＡの実施の形態のいずれか一項に記載のステップのいずれかひとつを実行する。
実施の形態５４：前記無線デバイスにおいて、前記無線アクセスノードへ前記ユーザデータを提供することをさらに含む上記の実施の形態に記載の方法。
実施の形態５５：以下をさらに含む上記二つの実施の形態に記載の方法。
●前記無線デバイスにおいてクライアントアプリケーションを実行することと、それによって、送信対象の前記ユーザデータを提供することと、
●前記ホストコンピュータにおいて、前記クライアントアプリケーションに関連付けられたホストアプリケーションを実行することと、
実施の形態５６：以下をさらに含む上記三つの実施の形態のいずれか一項に記載の方法。
●前記無線デバイスにおいて、クライアントアプリケーションを実行することと、
●前記無線デバイスにおいて、前記クライアントアプリケーションへの入力データを受信することと、ここで、前記入力データは、前記クライアントアプリケーションに関連付けられているホストアプリケーションを実行することによって、前記ホストコンピュータにおいて提供される
●送信対象の前記ユーザデータが、前記入力データに応じて前記クライアントアプリケーションによって提供される。
実施の形態５７：ホストコンピュータを含む通信システムであって、当該ホストコンピュータが、無線デバイスから無線アクセスノードへの送信に由来するユーザデータを受信するよう構成された通信インタフェースを備え、前記無線アクセスノードが無線インタフェースと処理回路とを備え、前記無線アクセスノードの処理回路が、実施の形態１９から３１のいずれか一項に記載のステップのいずれかひとつを行うよう構成される。
実施の形態５８：前記無線アクセスノードをさらに含む上記の実施の形態のいずれか一項に記載の通信システム。
実施の形態５９：前記無線デバイスをさらに含み、前記無線デバイスが前記無線アクセスノードと通信するよう構成される上記二つの実施の形態に記載の通信システム。
実施の形態６０：以下のとおりである上記三つの実施の形態のいずれか一項に記載の通信システム。
●前記ホストコンピュータの前記処理回路がホストアプリケーションを実行するよう構成され、
●前記無線デバイスが、前記ホストアプリケーションに関連付けられたクライアントアプリケーションを実行するよう構成され、それにより前記ホストコンピュータによって受信されるべき前記ユーザデータを提供する。
実施の形態６１：ホストコンピュータ、無線アクセスノード、および無線デバイスを含む通信システムにおいて実施される方法であって、当該方法は以下を含む。
●前記ホストコンピュータにおいて、前記無線アクセスノードが前記無線デバイスから受信した送信に由来するユーザデータを前記無線アクセスノードから受信することと、ここで、前記無線デバイスがグループＡの実施の形態のいずれか一項に記載のステップのいずれかひとつを実行する。
実施の形態６２：前記無線アクセスノードにおいて、前記無線デバイスからの前記ユーザデータを受信することをさらに含む上記の実施の形態に記載の方法。
実施の形態６３：前記無線アクセスノードにおいて、前記ホストコンピュータへの前記受信されたユーザデータの送信を開始することをさらに含む上記二つの実施の形態に記載の方法。
【０１２９】
以下の略語のうちの少なくともいくつかが本開示で使用されてもよい。略語間に不一致がある場合、それが上記でどのように使用されるかが優先されるべきである。以下に複数回列挙される場合、最初の列挙は、その後の任意の列挙よりも優先されるべきである。
２Ｇ  第２世代
３Ｇ  第３世代
３ＧＰＰ  第三世代パートナーシッププロジェクト
５Ｇ  第５世代
ＡＣＫ  アクノレッジメント
ＡＰ  アクセスポイント
ＡＳＩＣ  特定用途向け集積回路
ＢＬＥＲ  ブロックエラーレート
ＣＰ  サイクリックプレフィックス
ＣＰＵ  中央処理ユニット
ＣＱＩ  チャネル品質インジケータ
ＣＲＳ  セル特有基準信号
ＣＳＩ  チャネル状態情報
ＣＳＩ−ＲＳ  チャネル状態情報基準信号
ＤＣＩ  ダウンリンク制御情報
ＤＭＲＳ  復調基準信号
ＤＳＰ  デジタル信号プロセッサ
ｅＮＢ  強化型または発展型ノードＢ
ＥＰＲＥ  リソース要素当たりのエネルギ
ＦＦＳ  さらなる研究用
ＦＰＧＡ  フィールドプログラマブルゲートアレイ
ｇＮＢ  ニューラジオノードＢ
ＨＡＲＱ  ハイブリッド自動繰り返し要求
ＬＴＥ  ロングタームエボリューション
ＭＣＳ  変調および符号化スキーム
ＭＭＥ  モビリティマネジメントエンティティ
ｍｓ  ミリ秒
ＭＴＣ  マシンタイプ通信
ＭＵ−ＭＩＭＯ  複数ユーザ複数入力複数出力
ＮＲ  ニューラジオ
ＯＦＤＭ  直交周波数分割多重
ＯＴＴ  オーバーザトップ
ＰＢＣＨ  物理報知チャネル
ＰＤＳＣＨ  物理ダウンリンク共有チャネル
Ｐ−ＧＷ  パケットゲートウエイ
ＰＭＩ  プレコーディングマトリクスインジケータ
ＰＲＢ  物理リソースブロック
ＰＴＲＳ  位相追跡基準信号
ＲＡＮ  無線アクセスネットワーク
ＲＢ  リソースブロック
ＲＥ  リソース要素
ＲＩ  ランクインジケータ
ＲＯＭ  リードオンリーメモリ
ＲＲＣ  無線リソースコントロール
ＲＲＨ  リモート無線ヘッド
ＳＣＥＦ  サービスケーパビリティエクスポージャ機能
ＳＵ−ＭＩＭＯ  単一ユーザ複数入力複数出力
ＴＢ  トランスポートブロック
ＴＢＳ  トランスポートブロックサイズ
ＴＳ  技術仕様
ＵＥ  ユーザ装置
ＵＲＬＬＣ  超高信頼かつ低レイテンシ通信
ＶｏＩＰ  インターネットプロトコルを介した音声
【０１３０】
当業者であれば、本開示の実施の形態に対する改良や変更を認識するであろう。そのような改良および変更の全ては本明細書に開示される概念の範囲内である。
【図１】
2021503733.tif 000052
【図２】
2021503733.tif 000053
【図３】
2021503733.tif 000054
【図４】
2021503733.tif 000055
【図５】
2021503733.tif 000056
【図６】
2021503733.tif 000057
【図７】
2021503733.tif 000058
【図８】
2021503733.tif 000059
【図９】
2021503733.tif 000060
【図１０】
2021503733.tif 000061
【図１１】
2021503733.tif 000062
【図１２】
2021503733.tif 000063
【図１３】
2021503733.tif 000064
【図１４】
2021503733.tif 000065
【図１５】
2021503733.tif 000066
【図１６】
2021503733.tif 000067
【図１７】
2021503733.tif 000068
【図１８】
2021503733.tif 000069
【図１９】
2021503733.tif 000070
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
無線通信システムにおけるチャネル品質インジケータ、ＣＱＩ、インデクス報告のための、無線デバイスによって行われる方法であって、
ネットワークノードに報告されるべきＣＱＩインデクスを導出すること（７０２）であって、前記ＣＱＩインデクスは、チャネル状態情報、ＣＳＩ、基準リソース上での仮想的な伝送を前提として導出され、前記ＣＳＩ基準リソースにおける無線デバイス特有基準信号オーバヘッドはひとつ以上のパラメータと合致する、導出することと、
前記ＣＱＩインデクスを前記ネットワークノードに報告すること（７０４）と、を含む方法。
【請求項２】
前記ひとつ以上のパラメータは、直近に報告された対応するＣＳＩ報告セッティングのランクを含む請求項１に記載の方法。
【請求項３】
前記ひとつ以上のパラメータは、追加的な復調基準信号、ＤＭＲＳ、シンボルの数を含む請求項１に記載の方法。
【請求項４】
前記ひとつ以上のパラメータは、ＤＭＲＳパターンを含む請求項１に記載の方法。
【請求項５】
前記ひとつ以上のパラメータは、フロントロードＤＭＲＳシンボルの数を含む請求項１に記載の方法。
【請求項６】
前記ひとつ以上のパラメータは、前記無線デバイス用に設定された予約リソースを含む請求項１に記載の方法。
【請求項７】
前記ひとつ以上のパラメータは、前記ＣＳＩ基準リソースにおける直交周波数分割多重、ＯＦＤＭ、シンボルの数を含む請求項１に記載の方法。
【請求項８】
前記ＣＳＩ基準リソースにおけるＯＦＤＭシンボルの前記数は、前記ＣＳＩ基準リソースに関する対応する正当なダウンリンクサブフレームにおいて用いられるＯＦＤＭシンボルの数である請求項７に記載の方法。
【請求項９】
前記ひとつ以上のパラメータは、準静的に設定されたスロットフォーマットを含む請求項１に記載の方法。
【請求項１０】
前記ＣＳＩ基準リソース内の前記ＣＱＩインデクスは、位相追跡基準信号、ＰＴＲＳ、密度および／またはパターンに関連付けられる請求項１から９のいずれか一項に記載の方法。
【請求項１１】
前記ＣＱＩインデクスは、設定を介して、前記ＰＴＲＳ密度および／またはパターンに関連付けられる請求項１０に記載の方法。
【請求項１２】
前記ＣＱＩインデクスは、所与の関連付けを介して、前記ＰＴＲＳ密度および／またはパターンに関連付けられる請求項１０に記載の方法。
【請求項１３】
前記ＣＱＩインデクスは、所与の規則を介して、前記ＰＴＲＳ密度および／またはパターンに関連付けられる請求項１０に記載の方法。
【請求項１４】
無線通信システムにおけるチャネル品質インジケータ、ＣＱＩ、インデクス報告のための無線デバイスであって、
ひとつ以上の送信器（１２０８）およびひとつ以上の受信器（１２１０）と、
前記ひとつ以上の送信器（１２０８）および前記ひとつ以上の受信器（１２１０）と関連付けられたひとつ以上のプロセッサ（１２０２）と、を備え、
前記ひとつ以上のプロセッサ（１２０２）は、前記無線デバイスに、
ネットワークノードに報告されるべきＣＱＩインデクスを導出すること（７０２）であって、前記ＣＱＩインデクスは、チャネル状態情報、ＣＳＩ、基準リソース上での仮想的な伝送を前提として導出され、前記ＣＳＩ基準リソースにおける無線デバイス特有基準信号オーバヘッドはひとつ以上のパラメータと合致する、導出することと、
前記ＣＱＩインデクスを前記ネットワークノードに報告すること（７０４）と、を行わせるよう構成される無線デバイス。
【請求項１５】
無線通信システムにおけるチャネル品質インジケータ、ＣＱＩ、インデクス報告のための、無線アクセスノードによって行われる方法であって、方法は、
チャネル状態情報、ＣＳＩ、基準リソースについて無線デバイスから報告されたＣＱＩインデクスを受信すること（７０４）であって、前記ＣＳＩ基準リソースにおける無線デバイス特有基準信号オーバヘッドはひとつ以上のパラメータと合致する、受信することを含む方法。
【請求項１６】
無線通信システムにおけるチャネル品質インジケータ、ＣＱＩ、インデクス報告のための無線アクセスノードであって、
ひとつ以上の送信器（９１２）およびひとつ以上の受信器（９１４）と、
前記ひとつ以上の送信器（９１２）および前記ひとつ以上の受信器（９１４）と関連付けられたひとつ以上のプロセッサ（９０４）と、を備え、
前記ひとつ以上のプロセッサ（９０４）は、前記無線デバイスに、
チャネル状態情報、ＣＳＩ、基準リソースについて無線デバイスから報告されたＣＱＩインデクスを受信すること（７０４）であって、前記ＣＳＩ基準リソースにおける無線デバイス特有基準信号オーバヘッドはひとつ以上のパラメータと合致する、受信することを行わせるよう構成される無線アクセスノード。
【国際調査報告】
2021503733.tif 000071
2021503733.tif 000072
2021503733.tif 000073
2021503733.tif 000074